(57)【要約】      （修正有）【課題】安価であり、かつ大記録容量となる超解像再生技術を用いた多層の光情報記録媒体を提供する。【解決手段】光情報記録媒体１の第１情報記録層２０・第２情報記録層４０は、マーク及びスペースを構成するプリピット群３１，５１と、超解像膜２３，４３とを備え、マーク及びスペースは異なる長さを有し、マーク及びスペースのうち、長さが最小となる最小マークと、長さが最小となる最小スペースとの平均長さは、第１情報記録層２０・第２情報記録層４０に記録された情報を再生するための再生光学系の解像限界以下であり、プリピット群は、再生光学系がプリピット群を再生する際のプッシュプル信号の極性がネガティブとなるように形成されている。【選択図】図１
2011258297.tif 000002
【特許請求の範囲】
【請求項１】
再生光の入射側から順に、当該再生光の入射面を有する透光層と、２層以上の情報記録層と、基板とが配され、さらに、上記情報記録層をそれぞれに分離する中間層と、を備えた光情報記録媒体であって、
上記２層以上の情報記録層には、所定の変調方式で、マーク及びスペースとして情報が記録されており、
上記２層以上の情報記録層のそれぞれは、
上記マーク及びスペースを構成するプリピット群と、超解像膜とを備え、
上記プリピット群により構成されるマーク及びスペースは異なる長さを有し、
上記プリピット群により構成されるマークのうち、長さが最小となる最小マークと、上記プリピット群により構成されるスペースのうち、長さが最小となる最小スペースとの平均長さは、上記情報記録層に記録された情報を再生するための再生光学系の解像限界以下であり、
上記超解像膜は、上記プリピット群により記録された情報を上記再生光学系により再生可能とする膜であり、
上記プリピット群は、上記再生光学系が当該プリピット群を再生する際のプッシュプル信号の極性がネガティブとなるように形成されていることを特徴とする光情報記録媒体。
【請求項２】
上記再生光学系の再生光の波長をλ、開口数をＮＡとすると、
上記プリピット群における最小マークと、最小スペースとの平均長さが、λ/（５．７６ＮＡ）以下であることを特徴とする請求項１に記載の光情報記録媒体。
【請求項３】
上記２層以上の情報記録層のそれぞれは、上記プリピット群により記録されている情報を上記再生光学系により再生可能とするように構成された層であることを示す情報が、上記光情報記録媒体の種別を示すディスクタイプ識別情報に含まれており、
上記ディスクタイプ識別情報は、
上記マーク及びスペースとして記録されている情報と比べて、容易に検出可能な記録方式で、上記２層以上の情報記録層のうち何れか１層の情報記録層に記録されていることを特徴とする請求項１又は２に記載の光情報記録媒体。
【請求項４】
上記容易に検出可能な記録方式は、パルスレーザー光を上記情報記録層に照射して形成されたものであり、１０μｍ単位の幅で、長さが１００μｍ単位からｍｍ単位の複数のストライプにより示される情報の記録方式であることを特徴とする請求項３に記載の光情報記録媒体。
【請求項５】
上記ディスクタイプ識別情報、及び上記光情報記録媒体の個々を識別する情報である個体識別番号が記録される半径位置は、情報の再生にトラッキングが必要となる情報記録領域より内周側にあることを特徴とする請求項３又は４に記載の光情報記録媒体。
【請求項６】
再生光の入射側から順に、当該再生光の入射面を有する透光層と、２層以上の情報記録層と、基板とが配され、さらに、上記情報記録層をそれぞれに分離する中間層と、を備えた光情報記録媒体であって、
上記２層以上の情報記録層には、所定の変調方式で、マーク及びスペースとして情報が記録されており、
上記２層以上の情報記録層のそれぞれは、
上記マーク及びスペースを構成するプリピット群と、超解像膜とを備え、
上記プリピット群により構成されるマーク及びスペースは異なる長さを有し、
上記プリピット群により構成されるマークのうち、長さが最小となる最小マークと、上記プリピット群により構成されるスペースのうち、長さが最小となる最小スペースとの平均長さは、上記情報記録層に記録された情報を再生するための再生光学系の解像限界以下であり、
上記超解像膜は、上記プリピット群により記録された情報を上記再生光学系により再生可能とする膜であり、
上記プリピット群は、上記再生光の入射面に対して、上記スペースより、上記マークが凹んで形成されるインピット形式であることを特徴とする光情報記録媒体。
【請求項７】
上記再生光学系の再生光の波長をλ、開口数をＮＡとすると、
上記プリピット群における最小マークと、最小スペースとの平均長さが、λ/（５．７６ＮＡ）以下であることを特徴とする請求項６に記載の光情報記録媒体。
【請求項８】
上記２層以上の情報記録層のそれぞれは、上記プリピット群により記録されている情報を上記再生光学系により再生可能とするように構成された層であることを示す情報が、上記光情報記録媒体の種別を示すディスクタイプ識別情報に含まれており、
上記ディスクタイプ識別情報は、
上記マーク及びスペースとして記録されている情報と比べて、容易に検出可能な記録方式で、上記２層以上の情報記録層のうち何れか１層の情報記録層に記録されていることを特徴とする請求項６又は７に記載の光情報記録媒体。
【請求項９】
上記容易に検出可能な記録方式は、パルスレーザー光を上記情報記録層に照射して形成されたものであり、１０μｍ単位の幅で、長さが１００μｍ単位からｍｍ単位の複数のストライプにより示される情報の記録方式であることを特徴とする請求項８に記載の光情報記録媒体。
【請求項１０】
上記ディスクタイプ識別情報、及び上記光情報記録媒体の個々を識別する情報である個体識別番号が記録される半径位置は、情報の再生にトラッキングが必要となる情報記録領域より内周側にあることを特徴とする請求項８又は９に記載の光情報記録媒体。
【発明の詳細な説明】
【技術分野】
【０００１】
本発明は、情報を光学的に記録又は再生する光情報記録媒体に関する。
【背景技術】
【０００２】
近年、光情報記録媒体においては、画像等の膨大な情報の処理のために、ますます情報記録容量を増加させることが求められている。その解決法として、再生時における情報処理向上技術の一つである超解像技術を用いる方法と、情報記録層を多層化し、それぞれの情報記録層に対して記録／再生が可能である多層光情報記録媒体を用いる方法とがある。
【０００３】
超解像技術とは、再生装置が有する光学的解像限界以下のマーク長(レーザ波長及び光学系の開口数によって決まる)の信号を再生する技術である。これによって、より小さなマーク長を使用した記録が可能となるので、実質的な記録密度が増加する。これは、高密度化する際に問題となるのが再生技術であり、記録技術ではないことに起因する。
【０００４】
これらの技術について、まず、超解像技術より説明する。
【０００５】
従来、再生装置の有する光学系解像限界より短いマーク長の信号を再生するための多くの光情報記録媒体（以降、超解像媒体と呼ぶ）が提案されてきた。
【０００６】
このような技術として、例えば、基板の凹凸により書き換え不可な情報が記録されている再生専用媒体の再生には利用できないが、書き換え可能な光磁気記録媒体に対応し、光記録媒体駆動装置により光磁気記録媒体の磁性材料からなる記録膜に磁化方向によって記録された情報を再生する際に用いることが知られている（特許文献１参照）。
【０００７】
また、他には、書き換え可能な光記録媒体のみならず、再生専用媒体も適応可能である温度によって光学特性（透過率）が変化するサーモクロミック色素層をマスク層として、反射膜の再生光入射面上に設ける技術も知られている（特許文献２参照）。
【０００８】
なお、マスク層とは、後述するレーザースポットを擬似的に限縮したりするなどの超解像現象を引き起こす層のことである。
【０００９】
これらの光情報記録媒体では、その再生面に照射された再生レーザによって生じるレーザースポットには光強度分布があり、そのために温度分布が生じている事を利用している。
【００１０】
より具体的には、特許文献１に開示されているような光磁気記録媒体では、記録層の上に再生層を設けている。そして、再生時には、レーザースポット内の高温部分にのみ、記録層の磁界が再生層に転写されるため、結果的に光学系解像限界より短いマーク長の信号を再生することができる。
【００１１】
また、特許文献２に開示されているような光記録媒体では、反射層より再生光入射面に近い再生層上の再生レーザースポット内に、温度又は光強度分布が生じ、それにより前記レーザースポット内に光学特性の分布が生じる。
【００１２】
例えば、温度が高くなる場合に透過率が高くなる材料を再生層に用いている場合、温度が高い部分の透過率のみが高くなるので、反射層面上に生じるレーザースポットが擬似的に縮小される。これにより、結果的に光学系解像限界より短いマーク長の信号を再生することができる。
【００１３】
しかしながら、超解像再生技術においては、レーザースポットを擬似的に縮小するため、再生光の利用効率が下がる(反射光が当然少なくなる)。このため、レーザースポットの縮小に限界が生じることになり、記録密度の向上は線密度で２倍程度が限界であった。
【００１４】
次に、多層光情報記録媒体について説明する。
【００１５】
多層光情報記録媒体は、例えば、特許文献３に開示されているように、再生光入射面より、第１情報記録層、第２情報記録層という順に情報記録層を設け、主に樹脂からなる中間層により各情報層を分離した構造となっている。
【００１６】
このような構造では、再生光入射面より最も遠い情報記録層以外は、再生光が透過するような半透明層になっているので、再生光入射面から入射した再生光が、各情報記録層にフォーカスできる。したがって、この多層光情報記録媒体は、情報記録層の総数が増えるにしたがって、情報記録密度を増加させることができる光情報記録媒体と言える。
【００１７】
なお、この技術に用いられている最も一般的な光情報記録媒体は、片面再生の２層ＤＶＤ−ＲＯＭである。
【００１８】
ただし、多層光情報記録媒体においては、層数が多くなると、その生産が困難であるため、非常に高価な媒体となるという問題があった。以下に、生産が困難な理由を、多層光情報記録媒体の生産方法の一例を基に説明する。
【００１９】
多層光情報記録媒体の生産においては、例えば現時点で最も一般的なＤＶＤの場合には、２層までであれば、まず、真空中で基板上に記録膜や反射膜等の第１情報記録層を成膜し、その後、大気中に戻した後、同様にして作成した第２情報記録層を成膜した基板を貼り合せるだけでよい。
【００２０】
しかし、３層以上に層を増加させる場合、例えば３層にする場合は、真空中で成膜された上記第１情報記録層上に、大気中にて、中間層となる紫外線硬化樹脂等をスピンコートする。次に、大気中にて、プラスチックスタンパを貼り合わせた後、紫外線を照射して硬化させ、スタンパを剥離することにより、中間層の表面に、トッラキング用の溝や、その配列により情報を記録されているプリピット等の凹凸を転写（２Ｐ法と呼ばれる）する。
【００２１】
その上で、再び、真空中にて、プリピット等の凹凸を転写した上記中間層上に第２情報記録層を成膜し、さらに、大気中にて、第１情報記録層が設けられた基板と同様に作成した第３情報記録層が成膜された基板を貼り合せる必要がある。
【００２２】
このように、媒体が真空中と大気中とを何度も繰り返し行き来するといった非常に複雑な工程で生産される。
【００２３】
また、各層は、各反射率を調整するため、異なる膜構造となっているので、通常の大量生産時には、媒体が生産ラインを一方向に進みながら各層が形成されるため、情報記録層の層数だけ真空成膜装置が必要となる。しかも、真空成膜装置は非常に高価であり、ランニングコストも光情報記録媒体生産に使用する装置の中では高価である。したがい、３層以上に情報記録層を増加させることは、コスト的な点で実質的に困難であった。
【００２４】
このように、光情報記録媒体の高密度化の手法は主に上記２手法が提案されてきたが、上述したように、それぞれに問題があった。そのため、現在では、これらの利点を併せ持ち光情報記録媒体の情報記録密度を最も有効に増加できる技術として多層超解像技術が提案されるようになってきた（特許文献４参照）。
【先行技術文献】
【特許文献】
【００２５】
【特許文献１】特開平８−１８０４８６号公報（１９９６年７月１２日公開）
【特許文献２】特開２００１−０３５０１２号公報（２００１年２月９日公開）
【特許文献３】特開２０００−２３５７３３号公報（２０００年８月２９日公開）
【特許文献４】特開２００６−２６９０４０号公報（２００６年１０月５日公開）
【発明の概要】
【発明が解決しようとする課題】
【００２６】
しかしながら、本願発明者らは、多層超解像再生に用いる多層超解像再生専用光情報記録媒体においては、多層（非超解像）再生専用光情報記録媒体や、モノトーンパターン記録方式（単一長さのマークを用いた記録）が採用された多層超解像再生専用光情報記録媒体で発生しない問題が、信号処理の観点からの高密度化手段として、多くの光情報記録媒体に使用されている、マークエッジ記録方式を採用した多層超解像光情報記録媒体で発生することを検討の結果見出した。
【００２７】
以下に上記問題について記載する。
【００２８】
図１９は、再生専用の２層ＤＶＤ−ＲＯＭの構成を表す概略図である。
【００２９】
上述したように、多層光情報記録媒体として最も一般的な、片面再生専用の２層ＤＶＤ−ＲＯＭ９０２においては、図１９に示すように、再生光の入射面に近い側から順に、第２基板９６０、第１情報記録層９２０、中間層９３０、第２情報記録層９４０、基板９５０が積層されており、再生光の入射面に近い側の第１情報記録層９２０と中間層９３０との接触面（界面）に設けられたプリピットの記録形式と、再生光の入射面に遠い側の第２情報記録層９４０と基板９５０との接触面に設けられたのプリピットの記録形式と、が異なっていた。
【００３０】
具体的には、原盤作製の観点から第１情報記録層９２０側では、プリピットの記録形式は、オンピット形式（プリピットが再生光の入射面に対して凸になるように形成される）で情報が記録されており、第２情報記録層９４０側では、プリピットの記録形式はインピット形式（プリピットが再生光の入射面に対して凹になるように形成される）で情報が記録されていた。
【００３１】
上記問題とは、この構造をマークエッジ記録方式を採用した多層超解像光情報記録媒体に用いた場合に発生する問題であり、詳細は後述で示すが、上記のような構造では、一方の情報記録層の再生特性が著しく劣るという問題である。
【００３２】
このような問題は、例えば、図２０（ａ）（ｂ）に示すプリピット群９３１・９５１のような、通常、マークエッジ記録方式は用いられないモノトーンパターンのプリピット群（マークポジション記録方式）には発生しない。
【００３３】
本発明は、上記課題に鑑みてなされたものであって、安価であり、かつ大記録容量となる超解像再生技術を用いた多層の光情報記録媒体を提供することを目的としている。
【課題を解決するための手段】
【００３４】
上記の課題を解決するために、本発明の光情報記録媒体は、再生光の入射側から順に、当該再生光の入射面を有する透光層と、２層以上の情報記録層と、基板とが配され、さらに、上記情報記録層をそれぞれに分離する中間層と、を備えた光情報記録媒体であって、上記２層以上の情報記録層には、所定の変調方式で、マーク及びスペースとして情報が記録されており、上記２層以上の情報記録層のそれぞれは、上記マーク及びスペースを構成するプリピット群と、超解像膜とを備え、上記プリピット群により構成されるマーク及びスペースは異なる長さを有し、上記プリピット群により構成されるマークのうち、長さが最小となる最小マークと、上記プリピット群により構成されるスペースのうち、長さが最小となる最小スペースとの平均長さは、上記情報記録層に記録された情報を再生するための再生光学系の解像限界以下であり、上記超解像膜は、上記プリピット群により記録された情報を上記再生光学系により再生可能とする膜であり、上記プリピット群は、上記再生光学系が当該プリピット群を再生する際のプッシュプル信号の極性がネガティブとなるように形成されていることを特徴としている。
【００３５】
ここで、上記プリピット群とは、複数のプリピットからなるものである。上記プリピットとは、基板や中間層に設けられた凹凸形状を意味する。
【００３６】
また、上記再生光学系の再生光の波長をλ、開口数をＮＡとしたとき、λ／（４ＮＡ）程度が、上記マークまたはスペースによる情報を読み取る（再生する）ための光学系の解像限界となることが知られている。このため、本願では、上記情報記録層に記録された情報を再生するための上記再生光学系の解像限界は、λ／（４ＮＡ）とする。
【００３７】
また、上記最小マークと、上記最小スペースとの平均長さとは、上記所定の変調方式と、情報記録層に記録されている情報の密度とから算出することができる長さのことである。構造的には、例えば１−７ＲＬＬ変調方式の場合、最小マークである２Ｔマーク長と、最小スペースである２Ｔスペース長の平均長さである。
【００３８】
上記構成によると、中間層によってそれぞれ分離された上記２層以上の情報記録層には、所定の変調方式で、マーク及びスペースとしての情報が記録されている。これにより、当該記録された情報を、所定の変調方式に変調が可能な再生装置により、再生させることができる。
【００３９】
上記構成によると、上記２層以上の情報記録層のそれぞれは、上記マーク及びスペースを構成するプリピット群を含む。すなわち、中間層または基板に形成されたプリピット群を含む情報記録層は、プリピット群の凹凸形状によって、形状として情報が記録されている。このような、プリピット群を含む情報記録層は、再生専用の情報記録層である。
【００４０】
上記構成によると、上記プリピット群により構成されるマークは、異なる長さを有している。このように、マークを異なる長さで構成することにより、単一の長さでマークが構成された、いわゆるモノトーンパターン記録方式（すなわち、マークポジション記録方式）よりも、情報を記録する密度を向上させることができる。
【００４１】
上記構成によると、上記プリピット群により構成されるマークのうち、長さが最小となる最小マークと、上記プリピット群により構成されるスペースのうち、長さが最小となる最小スペースとの平均長さは、それぞれの上記情報記録層に記録された情報を再生するための再生光学系の解像限界以下である。これにより、マーク及びスペースを配置する密度を向上させることができるので、それぞれの上記情報記録層に、大容量の情報を記録することができる。
【００４２】
これにより、記録させる情報の容量を増加させるために形成する情報記録層の積層数が増えることを抑制することができるので、情報記録層の積層数が増えることによる製造コストが増大することを抑制することができる。
【００４３】
上記構成によると、上記超解像膜は、上記プリピット群により記録された情報を上記再生光学系により再生可能とする膜である。これにより、情報記録層に記録された情報を、再生装置として、上記再生光学系に再生させることができる。
【００４４】
ここで、光情報記録媒体のうち、上述したような、２層以上の情報記録層が配されており、各情報記録層は、最小マークと、最小スペースとの平均長さが、再生光学系の解像限界以下であるプリピット群と、当該プリピット群により記録された情報を上記再生光学系により再生可能とする膜である超解像膜と、を含む層である光情報記録媒体を、多層超解像光情報記録媒体と称する場合がある。
【００４５】
このように、多層超解像光情報記録媒体を構成することで、当該多層超解像光情報記録媒体の各情報記録層に記録された大容量の情報を、上記再生光学系により再生させることができる。
【００４６】
このように、多層超解像光情報記録媒体を構成することで、記録させる情報の容量を増加させるために形成する情報記録層の積層数が増えることを抑制することができるので、情報記録層の積層数が増えることによる製造コストが増大することを抑制することができる。
【００４７】
上記構成によると、上記プリピット群は、上記再生光学系が当該プリピット群を再生する際のプッシュプル信号の極性がネガティブとなるように配されている。このように、上記再生光学系が、上記プリピット群を再生する際のプッシュプル信号の極性がネガティブとなるようなプリピット群は、インピット形式で、各プリピットが形成されていることになる。
【００４８】
なお、インピット形式とは、プリピット群の各プリピットが、上記再生光の入射面に対して、上記スペースより、上記マークが凹んで形成される形式である。
【００４９】
これにより、最小マークと、最小スペースとの平均長さが、再生光学系の解像限界以下となるように配されていたとしても、再生光学系が、当該情報記録層を再生することで得られる情報の再生特性が劣化することを防止することができる。
【００５０】
このように、上記構成によると、安価であり、かつ再生特性の劣化を防止した大記録容量の光情報記録媒体を提供することができる。
【００５１】
上記再生光学系の再生光の波長をλ、開口数をＮＡとすると、上記プリピット群における最小マークと、最小スペースとの平均長さが、λ/（５．７６ＮＡ）以下である場合において、より好ましい。
【００５２】
ここで、プリピット群における最小マークと、最小スペースとの平均長さが、λ/（５．７６ＮＡ）より大きい場合には、上記プリピット群の記録形式がオンピット形式であっても、後述するように、情報記録層に記録された情報を再生するためのクロックの生成は可能になる。このため、再生特性が劣化しても再生特性を補完することで、必要な再生特性を得ることも出来る。すなわち、プリピット群における最小マークと、最小スペースとの平均長さが、λ/（５．７６ＮＡ）以下になると、プリピット群の記録形式（インピット記録形式またはオンピット記録形式）により得られる再生特性の差異はより顕著になる。
【００５３】
上記構成によると、プリピット群における最小マークと、最小スペースとの平均長さが、λ/（５．７６ＮＡ）以下であっても、上記プリピット群による情報が記録された情報記録層を再生することができるので、再生特性の劣化を防止し、良好な再生特性を得ることができ、記録容量を向上できる。
【００５４】
上記２層以上の情報記録層のそれぞれは、上記プリピット群により記録されている情報を上記再生光学系により再生可能とするように構成された層であることを示す情報が、上記光情報記録媒体の種別を示すディスクタイプ識別情報に含まれており、上記ディスクタイプ識別情報は、上記マーク及びスペースとして記録されている情報と比べて、容易に検出可能な記録方式で、上記２層以上の情報記録層のうち何れか１層の情報記録層に記録されていることが好ましい。
【００５５】
上記構成によると、上記２層以上の情報記録層のそれぞれは、上記プリピット群により記録されている情報を、上記再生光学系により再生可能とするように構成された層であることを示す情報が、上記光情報記録媒体の種別を示すディスクタイプ識別情報に含まれている。
【００５６】
すなわち、上記光情報記録媒体が多層超解像光情報記録媒体であることを示す情報が、上記ディスクタイプ識別情報に含まれている。
【００５７】
そして、上記ディスクタイプ識別情報は、上記マーク及びスペースとして記録されている情報と比べて、容易に検出可能な記録方式で、上記プリピット群に積層された情報記録層に記録されている。
【００５８】
ここで、上記多層超解像光情報記録媒体の上記マーク及びスペースとして記録されている情報を再生する場合、上記多層超解像光情報記録媒体より、マーク及びスペースの密度が大きく形成された光情報記録媒体（非多層超解像光情報記録媒体）の情報を再生する場合と比べて再生レーザパワー（再生光の強度）を大きくする必要がある。
【００５９】
このため、上記多層超解像光情報記録媒体の情報を再生するための再生レーザパワーで、非多層超解像光情報記録媒体を再生すると、当該非多層超解像光情報記録媒体を破壊してしまう虞がある。
【００６０】
上記構成によると、上記多層超解像光情報記録媒体の上記マーク及びスペースとして記録されている情報を再生するための再生レーザパワーを増大させる前に、ディスクタイプ識別情報の確認することで、多層超解像光情報記録媒体であるか否かを判定させることができる。
【００６１】
このため、誤って、上記マーク及びスペースによる情報が設けられた情報記録層を再生するために増大された再生レーザパワーで、非多層超解像光情報記録媒体が再生されることを防止することできる。これにより、汎用性が高い光情報記録媒体を提供することができる。
【００６２】
上記容易に検出可能な記録方式は、パルスレーザー光を上記情報記録層に照射して形成されたものであり、１０μｍ単位の幅で、長さが１００μｍ単位からｍｍ単位の複数のストライプにより示される情報の記録方式であることが好ましい。
【００６３】
上記構成により、上記再生光学系で、ディスクタイプ識別情報や、個体識別番号を読み取る際の再生時に、フォーカスや再生光照射の半径方向位置が多少ずれたとしても、上記再生光学系で、ディスクタイプ識別情報及び個体識別番号を読み取ることができる。
【００６４】
また、専用のパルスレーザー光の照射装置を用いれば、比較的容易にディスクタイプ識別情報及び個体識別番号を記録することが可能になる。
【００６５】
上記ディスクタイプ識別情報、及び上記光情報記録媒体の個々を識別する情報である個体識別情報が記録される半径位置は、情報の再生にトラッキングが必要となる情報記録領域より内周側にあることが好ましい。
【００６６】
ここで、容易に検出可能な記録方式で、上記ディスクタイプ識別情報や上記個体識別情報が記録されている場合、再生光が照射される半径方向の位置が多少ずれたとしても、上記ディスクタイプ識別情報や上記個体識別情報の情報を再生することができるようにするため、上記ディスクタイプ識別情報や、上記個体識別情報を記録する領域として、半径方向へは所定の長さであり、周方向へは１周分の領域が必要となる。このような、ディスクタイプ識別情報や、上記個体識別情報を記録する領域を確保するために、他の情報を記憶するための情報記録領域は減少することになる。
【００６７】
上記構成によると、上記ディスクタイプ識別情報、及び上記個体識別情報が記録される半径位置は情報の再生にトラッキングが必要となる情報記録領域より内周側にあるので、外周側に設けた場合と比較して、トラッキングが必要となる情報記録領域の記録容量の減少を抑制することができる。
【００６８】
本発明の光情報記録媒体は、再生光の入射側から順に、当該再生光の入射面を有する透光層と、２層以上の情報記録層と、基板とが配され、さらに、上記情報記録層をそれぞれに分離する中間層と、を備えた光情報記録媒体であって、上記２層以上の情報記録層には、所定の変調方式で、マーク及びスペースとして情報が記録されており、上記２層以上の情報記録層のそれぞれは、上記マーク及びスペースを構成するプリピット群と、超解像膜とを備え、上記プリピット群により構成されるマーク及びスペースは異なる長さを有し、上記プリピット群により構成されるマークのうち、長さが最小となる最小マークと、上記プリピット群により構成されるスペースのうち、長さが最小となる最小スペースとの平均長さは、上記情報記録層に記録された情報を再生するための再生光学系の解像限界以下であり、上記超解像膜は、上記プリピット群により記録された情報を上記再生光学系により再生可能とする膜であり、上記プリピット群は、上記再生光の入射面に対して、上記スペースより、上記マークが凹んで形成されるインピット形式である。
【００６９】
上記構成によると、上記プリピット群は、上記再生光の入射面に対して、上記スペースより、上記マークが凹んで形成されるインピット形式である。これにより、最小マークと、最小スペースとの平均長さが、再生光学系の解像限界以下となるように配されていたとしても、再生光学系が、当該情報記録層を再生することで得られる情報の再生特性が劣化することを防止することができる。
【発明の効果】
【００７０】
本発明の光情報記録媒体は、再生光の入射側から順に、当該再生光の入射面を有する透光層と、２層以上の情報記録層と、基板とが配され、さらに、上記情報記録層をそれぞれに分離する中間層と、を備え、上記２層以上の情報記録層には、所定の変調方式で、マーク及びスペースとして情報が記録されており、上記２層以上の情報記録層のそれぞれは、上記マーク及びスペースを構成するプリピット群と、超解像膜とを備え、上記プリピット群により構成されるマーク及びスペースは異なる長さを有し、上記プリピット群により構成されるマークのうち、長さが最小となる最小マークと、上記プリピット群により構成されるスペースのうち、長さが最小となる最小スペースとの平均長さは、上記情報記録層に記録された情報を再生するための再生光学系の解像限界以下であり、上記超解像膜は、上記プリピット群により記録された情報を上記再生光学系により再生可能とする膜であり、上記プリピット群は、上記再生光学系が当該プリピット群を再生する際のプッシュプル信号の極性がネガティブとなるように形成されている。
【００７１】
本発明の光情報記録媒体は、再生光の入射側から順に、当該再生光の入射面を有する透光層と、２層以上の情報記録層と、基板とが配され、さらに、上記情報記録層をそれぞれに分離する中間層と、を備えた光情報記録媒体であって、上記２層以上の情報記録層には、所定の変調方式で、マーク及びスペースとして情報が記録されており、上記２層以上の情報記録層のそれぞれは、上記マーク及びスペースを構成するプリピット群と、超解像膜とを備え、上記プリピット群により構成されるマーク及びスペースは異なる長さを有し、
上記プリピット群により構成されるマークのうち、長さが最小となる最小マークと、上記プリピット群により構成されるスペースのうち、長さが最小となる最小スペースとの平均長さは、上記情報記録層に記録された情報を再生するための再生光学系の解像限界以下であり、上記超解像膜は、上記プリピット群により記録された情報を上記再生光学系により再生可能とする膜であり、上記プリピット群は、上記再生光の入射面に対して、上記スペースより、上記マークが凹んで形成されるインピット形式である。
【００７２】
これにより、安価であり、かつ再生特性の劣化を防止した大記録容量の光情報記録媒体を提供することができるという効果を奏する。
【図面の簡単な説明】
【００７３】
【図１】本発明の光情報記録媒体の構成を表す概略図である。
【図２】本発明の光情報記録媒体の中間層に設けられているプリピット群を拡大した構成を表す斜視図である。
【図３】本発明の光情報記録媒体の基板に設けられているプリピット群を拡大した構成を表す斜視図である。
【図４】再生機がプリピット群を再生する際の再生光学系のプッシュプル信号を表し、極性がネガティブであるプッシュプル信号の様子を表す図である。
【図５】再生機がプリピット群を再生する際の再生光学系のプッシュプル信号を表し、極性がポジティブであるプッシュプル信号の様子を表す図である。
【図６】本発明の光情報記録媒体の構成を表す平面図である。
【図７】本発明の光情報記録媒体に配置されているＢＣＡの一例を表す概略図である。
【図８】本発明の光情報記録媒体の構成を表す概略図である。
【図９】比較例の光情報記録媒体の構成を表す概略図である。
【図１０】図８の光情報記録媒体の第１情報記録層に記録された情報と、図９の光情報記録媒体の情報記録層に記録された情報との評価結果を表す図である。
【図１１】（ａ）は、光情報記録媒体３００Ａの構成を表す概略図であり、（ｂ）は光情報記録媒体３００Ｂの構成を表す概略図である。
【図１２】（ａ）は、光情報記録媒体４００Ａ・５００Ａ・６００Ａの構成を表す概略図であり、（ｂ）は光情報記録媒体４００Ｂ・５００Ｂ・６００Ｂの構成を表す概略図である。
【図１３】（ａ）は、インピット形式のプリピット群の拡大した構成を表す斜視図であり、（ｂ）はオンピット形式のプリピット群の拡大した構成を表す斜視図である。
【図１４】各実験用光情報記録媒体の再生信号の測定結果を表す図である。
【図１５】モノトーン形式のプリピットが形成された光情報記録媒体の構成を表す概略図である。
【図１６】（ａ）は、モノトーンのオンピット形式のプリピット群の拡大した構成を表す斜視図であり、（ｂ）はモノトーンのインピット形式のプリピット群の拡大した構成を表す斜視図である。
【図１７】図１５の光情報記録媒体の第１情報記録層及び第２情報記録層の再生特性（ＯＴＦ）を表す図である。
【図１８】第２情報記録層の超解像膜が単層からなる光情報記録媒体の構成を表す図である。
【図１９】従来の再生専用の２層ＤＶＤ−ＲＯＭの構成を表す概略図である。
【図２０】（ａ）は、モノトーンのオンピット形式のプリピット群の拡大した構成を表す斜視図であり、（ｂ）はモノトーンのインピット形式のプリピット群の拡大した構成を表す斜視図である。
【発明を実施するための形態】
【００７４】
以下、本発明の実施の形態について、詳細に説明する。
【００７５】
（１．光情報記録媒体１の概略構成）
本発明の一実施の形態に係る光情報記録媒体（多層超解像光情報記録媒体）１の構成について説明する。
【００７６】
図１は、光情報記録媒体１の構成を表す概略図である。
【００７７】
図１に示すように、光情報記録媒体１は、再生光の入射側から順に、再生光の入射面を有するカバー層（透光層）１０と、２層以上の情報記録層である第１情報記録層（情報記録層）２０及び第２情報記録層（情報記録層）４０と、基板５０とが配されている。さらに、光情報記録媒体１は、第１情報記録層２０と、第２情報記録層４０とをそれぞれに分離する中間層３０を備えている。
【００７８】
光情報記録媒体１は、情報記録層が、第１情報記録層２０と、第２情報記録層４０との２層からなる多層構造である。第１情報記録層２０と、第２情報記録層４０とは、それぞれ、プリピット群３１・５１が形成された中間層３０と、基板５０とに形成されており、再生光によって情報を読み出すことのみ可能な再生専用（ＲＯＭ；Read Only Memory）の情報記録層である。
【００７９】
第１情報記録層２０と、第２情報記録層４０とには、所定の変調方式で、プリピット群３１・５１により構成されるマーク及びスペースによって、形状として情報が記録されている。
【００８０】
なお、以下の説明では、第１情報記録層２０と、第２情報記録層４０とのうち、基板５０が配されている側（すなわち再生光の入射面とは遠い側）の第２情報記録層４０を、Ｌ０層と称する場合がある。
【００８１】
カバー層１０は、光情報記録媒体１を構成する各層のうち、最も再生光の入射側に配されている。カバー層１０の第１情報記録層２０と接している側とは反対側の面が、再生光の入射面である。
【００８２】
カバー層１０は、例えば、厚さ７５μｍの紫外線硬化樹脂（再生光波長λ：４０５ｎｍにおける屈折率１．５０）からなる。カバー層１０の材料は、再生光の波長において透過率が高いものであれば良い。すなわち、カバー層１０は、例えばポリカーボネートフィルムと透明粘着剤とで形成されていても良い。
【００８３】
また、カバー層１０の表面は、再生に悪影響を及ぼさない防汚特性（指紋等が付着した場合においても第１情報記録層２０及び第２情報記録４０からの再生信号等が劣化しない特性）や耐擦傷特性を有していてもよい。なお、上記防汚特性と耐擦傷特性は、カバー層１０の表面にハードコートが設けられることによって満たされていても良い。
【００８４】
さらに、カバー層１０の厚さは、光情報記録媒体１の再生装置が有する光学系（再生光学系）に応じて変更されても良い。具体的には、カバー層１０は、例えば０．６ｍｍのポリカーボネート基板であっても良い。
【００８５】
第１情報記録層２０は、カバー層１０と隣接して設けられている再生専用の情報記録層（ＲＯＭ層）である。
【００８６】
第１情報記録層２０は、下層の中間層３０に設けられたプリピット群３１と、プリピット群３１に積層された超解像膜２３とからなる。
【００８７】
第１情報記録層２０には、下層の中間層３０に設けられたプリピット群３１により、形状として情報が記録されている。中間層３０に設けられたプリピット群３１は、凹凸形状であるプリピットが複数からなるものである。
【００８８】
中間層３０に形成された凹凸形状であるプリピット群３１に超解像膜２３が積層されることで、プリピット群３１の凹凸によって、超解像膜２３に凹凸形状が形成されている。このように、プリピット群３１による情報が、第１情報記録層２０に形状として記録されている。
【００８９】
中間層３０に形成されたプリピット群３１は、後述するように、再生光学系の光学解像限界（以下、単に解像限界と称する場合がある）以下で形成されている。
【００９０】
超解像膜２３は、プリピット群３１により記録された情報を、再生光学系により再生可能とする膜である。すなわち、超解像膜２３は、プリピット群３１の内、最も小さいマークとスペースの平均長さが、解像限界以下で形成されていても、再生光学系で、再生（超解像再生）を可能とする超解像膜である。
【００９１】
第１情報記録層２０は、プリピット群３１に、超解像膜２３が積層されることで、プリピット群３１により記録されている情報を、再生光学系により再生可能とする層である。
【００９２】
超解像膜２３は、例えば入射した再生光の温度分布により、擬似的に再生光のスポット径を縮小したり、スーパーＲＯＭ等の原理自体の解明は未だなされていない超解像再生技術で発現している現象により、プリピット群３１を再生できる膜である。
【００９３】
超解像膜２３は、例えば、スパッタ法等により、２層の薄膜が積層されることで構成されている。具体的には、この２層の薄膜は、再生光の入射側から、再生膜２１（厚さ約５５ｎｍの酸化亜鉛）、反射膜２２（厚さ約６ｎｍのＴｉ）が順に積層されている。
【００９４】
なお、超解像膜２３の材料、厚さ及び層数は、これに限られるものではなく、超解像再生を可能にする層として機能し、後述する中間層３０に設けられたプリピット群３１を再生可能な超解像膜であれば良い。
【００９５】
また、再生膜とは、半透明膜や反射膜と組み合わせることにより超解像再生が可能になる膜を意味し、半透明膜とは、再生光が透過すると共に、反射膜の役割を果たす膜を意味する。
【００９６】
中間層３０は、例えば、厚さ２５μｍの透明紫外線硬化樹脂（再生光波長における屈折率１．５０）からなる。中間層３０の材料は、これに限られたものではなく、再生光の波長において透過率が高い材料であれば良い。また、中間層３０の厚さも、これに限られたものではなく、各情報記録層（ここでは、第１情報記録層２０及び第２情報記録層４０）のそれぞれを分離でき、層間クロストークが問題にならない適度の厚さであれば良い。
【００９７】
なお、層間クロストークとは、再生中の情報記録層以外の情報記録層からのノイズを指す。また、中間層３０は、多層構造であっても良い。
【００９８】
中間層３０の、超解像膜２３と接している側の面には、２Ｐ法（ｐｈｏｔｏ  ｐｏｌｙｍａｒｉｚａｔｉｏｎ法）により、第１情報記録層２０に形状として記録される情報に応じた凹凸形状であるプリピット群３１が設けられている。プリピット群３１は、上記再生光の入射面に対して、プリピットが凹形状で形成されるインピット形式で形成されている。
【００９９】
ここで、２Ｐ法とは、平板と原盤との間に紫外線硬化樹脂を充填し、紫外線を照射して紫外線硬化樹脂を硬化させた後、原盤を剥離することによって、平板上に原盤の凹凸（プリピット）を転写する手法を指す。
【０１００】
このプリピット群３１の構成については後述する。
【０１０１】
第２情報記録層４０は、カバー層１０から最も遠い位置に設けられた再生専用の情報記録層（ＲＯＭ層）である。
【０１０２】
第２情報記録層４０は、下層の基板５０に設けられたプリピット群５１と、プリピット群５１に積層された超解像膜４３とからなる。
【０１０３】
第２情報記録層４０には、下層の基板５０に設けられたプリピット群５１により、形状として情報が記録されている。基板５０に設けられたプリピット群５１は、凹凸形状であるプリピットが複数からなるものである。
【０１０４】
基板５０に形成された凹凸形状であるプリピット群５１に超解像膜４３が積層されることで、プリピット群５１の凹凸によって、超解像膜４３に凹凸形状が形成されている。このように、プリピット群５１による情報が、第２情報記録層４０に形状として記録されている。
【０１０５】
基板５０に形成されたプリピット群５１は、後述するように、再生光学系の解像限界以下で形成されている。超解像膜４３は、プリピット群５１により記録された情報を、再生光学系により再生可能とする膜である。すなわち、超解像膜４３は、プリピット群５１の内、最も小さいマークとスペースの平均長さが、解像限界以下で形成されていても、再生光学系で、再生を可能とする超解像膜である。
【０１０６】
第２情報記録層４０は、プリピット群５１に、超解像膜４３が積層されることで、プリピット群５１により記録されている情報を、再生光学系により再生可能とする層である。
【０１０７】
超解像膜４３は、例えば入射した再生光の温度分布により、擬似的に再生光のスポット径を縮小したり、スーパーＲＯＭ等の原理自体の解明は未だなされていない超解像再生技術で発現している現象により、プリピット群５１を再生できる膜である。
【０１０８】
超解像膜４３は、例えば、スパッタ法等により２層の薄膜が積層されることで、超解像膜が構成されている。具体的には、この２層の薄膜は、再生光の入射側から、再生膜４１（厚さ約６５ｎｍの酸化亜鉛）、反射膜４２（厚さ７ｎｍのＴａ）が順に積層されている。
【０１０９】
なお、超解像膜４３の材料、厚さ及び層数は、これに限られるものではなく、超解像再生を可能にする層として機能し、後述する基板５０に設けられたプリピット群５１を再生可能な超解像膜であれば良い。
【０１１０】
基板５０は、上記中間層３０と同様なインピット形式で情報が記録されたプリピット群を有する円盤状基板である。基板５０は、例えば、直径１２０ｍｍ、厚さ１．１ｍｍのポリカーボネートからなる。
【０１１１】
なお、基板５０の材料及び厚さは、これに限られるものではなく、表面（光入射面）にプリピット群５１が設けられており、かつ基板として使用できる程度の所定の強度があれば良い。具体的には、基板５０は、例えばポリオレフィン樹脂、金属等からなっていても良い。さらに、基板５０は、多層構造であっても良い。
【０１１２】
このように、光情報記録媒体１は、複数の情報記録層である第１情報記録層２０及び第２情報記録層４０が配されている。また、第１情報記録層２０は、最小マークと、最小スペースとの平均長さが、再生光学系の解像限界以下であるプリピット群３１と、プリピット群３１に積層された超解像膜２３とからなる。同様に、第２情報記録層４０は、最小マークと、最小スペースとの平均長さが、再生光学系の解像限界以下であるプリピット群５１と、プリピット群５１に積層された超解像膜４３とからなる。このようにして、光情報記録媒体１は、多層超解像光情報記録媒体として構成されている。
【０１１３】
さらに、光情報記録媒体１は、２層以上の情報記録層が配されており、各情報記録層は、最小マークと、最小スペースとの平均長さが、再生光学系の解像限界以下であるプリピット群と、当該プリピット群により記録された情報を上記再生光学系により再生可能とする膜である超解像膜と、を含む層である多層超解像光情報記録媒体であればよい。
【０１１４】
すなわち、プリピット群３１・５１が、反射率の高い金属材料からなる場合は、その上に積層される超解像膜２３・４３のそれぞれは、２層では無く、単層で構成してもよい。
【０１１５】
このような多層超解像光情報記録媒体の構成の一例として、図１８を用いて説明する。
【０１１６】
図１８は、複数の情報記録層のうち、第２情報記録層４０ａの超解像膜４３が単層からなる光情報記録媒体の構成を表す概略図である。
【０１１７】
光情報記録媒体１ａは、再生光の入射側から順に、カバー層１０と、第１情報記録層２０と、中間層３０と、第２情報記録層４０ａと、基板５０ａとからなる。
【０１１８】
第２情報記録層４０ａは、プリピット群５１ａと、プリピット群５１ａに積層された超解像膜４３と、からなる。
【０１１９】
超解像膜４３は、再生膜４１と同様に厚さ約６５ｎｍの酸化亜鉛からなる。
【０１２０】
基板５０ａは、例えば、Ｔａ等の反射率の高い金属材料からなる。そして、基板５０ａの超解像膜４３が配されている側の面には、プリピット群５１ａが形成されている。この基板５０ａに配されたプリピット群５１ａは、基板５０ａと同じ、Ｔａ等の金属材料からなる。これにより、プリピット群５１ａは、反射膜としても機能する。
【０１２１】
なお、プリピット群５１ａが構成するマーク及びスペースの長さは、プリピット群５１と同様である。
【０１２２】
このようにして、多層超解像光情報記録媒体である光情報記録媒体１ａを構成してもよい。
【０１２３】
光情報記録媒体１ａによると、第２情報記録層４０ａは、プリピット群５１ａと、超解像膜４３とを備え、プリピット群５１ａは、反射率の高い金属材料からなり、超解像膜４３は１層からなる。
【０１２４】
これにより、プリピット群５１ａは、反射率の高い金属材料からなるので、複数の層を積層して超解像膜４１を構成する必要はない。このため、光情報記録媒体１のプリピット群５１ａに超解像膜を積層する場合と比べて、製造コストを低減することができる。
【０１２５】
（プリピット群の構成について）
次に、図２、図３を用い、中間層３０、基板５０に設けられているプリピット群３１・５１の構成について説明する。
【０１２６】
図２は、中間層３０に設けられているプリピットの構成を表す斜視図である。図３は、基板５０に設けられているプリピットの構成を表す斜視図である。
【０１２７】
プリピット群３１・５１は、複数のプリピットが配置されたものであり、それぞれ、第１情報記録層２０、第２情報記録層４０に形状として記録される情報に応じた凹凸からなるものである。プリピット群３１・５１のうち、プリピットの再生光に対する反射面がマーク３２・５２であり、再生光に対するプリピット間の反射面がスペース３３・５３である。プリピット群３１・５１は、所定の変調方式、例えば、１−７ＲＬＬ変調方式に従って、それぞれ、第１情報記録層２０、第２情報記録層４０に情報を形状として記録している。
【０１２８】
プリピット群３１・５１により構成されるマーク３２・５２は、それぞれ異なる長さを有している。このように、マーク３２・５２を異なる長さで構成することにより、単一の長さでマークが構成された、いわゆるモノトーンパターン記録方式よりも、情報を記録する密度を向上させることができる。
【０１２９】
このように、異なる長さで構成されたマーク３２・５２は、例えば、１−７ＲＬＬ変調方式に従って、マークエッジ記録方式により情報が記録される。マークエッジ記録方式は、マーク３２・５２のエッジ部分（隣接するスペース３３・５３との境界部分）を読み取ることにより、情報（「１」（正）又は「０」（負））を読み取る方式である。
【０１３０】
このように、マークエッジ記録方式を用いることで、モノトーンパターン記録方式に用いられるマークポジション記録方式より、記録される情報の容量を向上させることができる。
【０１３１】
プリピット群３１・５１は、プリピット群３１・５１により構成されるマーク３２・５２のうち、長さが最小となる最小マークと、プリピット群３１・５１により構成されるスペース３３・５３とのうち、長さが最小となる最小スペースとの平均長さは、上記情報記録層に記録された情報を再生するための再生光学系の解像限界以下となるように形成されている。
【０１３２】
このため、マーク３２・５２及びスペース３３・５３を配置する密度を向上させることができる。このため、第１情報記録層２０、第２情報記録層４０それぞれに記録させる情報の容量を増大させることができる。
【０１３３】
ここで、上記最小マークと、上記最小スペースとの平均長さとは、所定の変調方式と、第１情報記録層２０又は第２情報記録層４０に記録されている情報の密度とから算出することができる長さのことである。
【０１３４】
上記最小マークと、上記最小スペースとの平均長さとは、構造的には、例えば１−７ＲＬＬ変調方式の場合、最小マークである２Ｔマーク長と、最小スペースである２Ｔスペース長との平均長さである。
【０１３５】
具体的には、再生光学系がＢＤ（Ｂｌｕ−ｒａｙ  Ｄｉｓｃ）に準じている場合は、例えば、１−７ＲＬＬ変調方式での２Ｔマーク長と２Ｔスペース長との平均長さは、９３ｎｍである。
【０１３６】
そして、上述したように、超解像膜２３・４３のそれぞれは、プリピット群３１・５１が、再生光学系の解像限界以下で形成されていても、再生光学系で再生を可能とする超解像膜として構成されている。このため、プリピット群３１・５１による情報（すなわち、マーク３２・５２及びスペース３３・５３による情報）を、再生光学系で再生することができる。
【０１３７】
このように、光情報記録媒体１は、多層超解像光情報記録媒体として構成されている。
【０１３８】
具体的には、光情報記録媒体１は、情報記録層として２層からなる第１情報記録層２０及び第２情報記録層４０が配されており、最小マークと、最小スペースとの平均長さが、再生光学系の解像限界以下であるプリピット群３１・５１のそれぞれに、超解像膜２３・４３が積層された構成である。
【０１３９】
このように、光情報記録媒体１を多層超解像光情報記録媒体として構成することで、情報記録層に情報を記録させるための容量を増加させるために、さらに、３層、４層…と、情報記録層の積層数が増えることを抑制することができる。このように、光情報記録媒体１を多層超解像光情報記録媒体とすることで、情報を記憶するための容量を増加させることができると共に、情報記録層の積層数が増加することに伴う製造コストが増大することを抑制することができる。
【０１４０】
また、プリピット群３１・５１は、再生光の入射面に対して、スペース３３・５３より、マーク３２・５２が凹んで形成されるインピット形式である。再生光学系が、インピット形式のプリピット群３１・５１を再生する際のプッシュプル信号の極性は、ネガティブとなる。
【０１４１】
換言すると、プリピット群３１・５１は、再生光学系がプリピット群３１・５１を再生する際のプッシュプル信号の極性がネガティブとなるように形成されているとも表現できる。
【０１４２】
図４は、再生機がプリピット群を再生する際の再生光学系のプッシュプル信号を表し、極性がネガティブであるプッシュプル信号の様子を表す図である。
【０１４３】
図５は、再生機がプリピット群を再生する際の再生光学系のプッシュプル信号を表し、極性がポジティブであるプッシュプル信号の様子を表す図である。
【０１４４】
プッシュプル信号の極性がネガティブとは、再生信号の受光部が内周と外周に２分割されており、外周側の受光部から得られる電圧から、内周側の受光部から得られる電圧を引くことによってプッシュプル信号が算出される再生機において、プリピットの情報を再生しているトラックから内周にジャンプした場合、図４に示すようにプッシュプル信号のレベルが０、負、０、正、０となる順で得られることを意味する。
【０１４５】
光情報記録媒体１に形成されたインピット形式のプリピット群３１・５１により記録された情報を再生機で再生する際、再生光学系のプッシュプル信号の極性は、図４に示す極性となる。
【０１４６】
なお、オンピット形式で形成されたプリピット群により記録された情報を再生機で再生する際、図５に示すような、プッシュプル信号のレベルが０、正、０、負、０となる順で得られるポジティブとなる極性のプッシュプル信号が得られる。 
【０１４７】
このように、プリピット群３１・５１により構成される最小マークと、最小スペースとの平均長さが、再生光学系の解像限界以下となるように配されていたとしても、再生光学系が、第１情報記録層２０と、第２情報記録層４０とのそれぞれを再生することで得られる情報の再生特性が劣化することを防止することができる。
【０１４８】
このため、光情報記録媒体１によると、大記憶容量であり、安価であり、再生特性の劣化を防止することができる。
【０１４９】
すなわち、光情報記録媒体１の構成によると、光情報記録媒体１に形成された全ての情報記録層である第１情報記録層２０及び第２情報記録層４０の再生特性を良好にすることができる。
【０１５０】
さらに、光情報記録媒体１を再生する再生光学系の再生光の波長をλ、開口数をＮＡとすると、プリピット群３１・５１における最小マークと、最小スペースとの平均長さが、λ/（５．７６ＮＡ）以下の場合において、より好ましい。
【０１５１】
ここで、プリピット群における最小マークと、最小スペースとの平均長さが、λ/（５．７６ＮＡ）より大きい場合には、プリピット群の記録形式がオンピット形式であっても、後述するように、情報記録層に記録された情報を再生するためのクロックの生成は可能になる（詳細は後述する）。
【０１５２】
このため、再生特性が劣化しても再生特性を補完することで、必要な再生特性を得ることも出来る。すなわち、プリピット群における最小マークと、最小スペースとの平均長さが、λ/（５．７６ＮＡ）以下になると、プリピット群の記録形式（インピット記録形式またはオンピット記録形式）により得られる再生特性の差異はより顕著になる。
【０１５３】
この場合には、ピットの記録形式による差がより顕著になり、インピット形式にすることにより、更なる大容量化を行うことができる。
【０１５４】
すなわち、光情報記録媒体１とは異なる構成で、光情報記録媒体を作成した場合、プリピット群における最小マークと、最小スペースとの平均長さが、λ/（５．７６ＮＡ）より小さくなると、情報記録層の再生特性を補正することが極めて困難になる。
【０１５５】
一方、光情報記録媒体１では、プリピット群３１・５１をそれぞれインピット形式により形成しているので、プリピット群３１・５１における最小マークと、最小スペースとの平均長さが、λ/（５．７６ＮＡ）より小さくても、第１情報記録層２０及び第２情報記録層４０を再生することで得られる情報の再生特性を補正することなく、再生特性の劣化を防止し、良好な再生特性を得ることができる。
【０１５６】
図６は、光情報記録媒体１の構成の概略を表す平面図である。
【０１５７】
図７は、光情報記録媒体１に配置されているＢＣＡの一例を表す概略図である。図７では、矢印ａは長さを表し、矢印ｂは幅を表す。
【０１５８】
図６に示すように、光情報記録媒体１は、通常の情報の記録再生を行うための領域である領域Ａ（コンテンツ記録領域）と、ＢＣＡ(Burst cutting area)を記録再生するための領域である領域Ｂとを含む。
【０１５９】
領域Ａは、ユーザが使用するためのコンテンツ情報などの記録再生を行うための領域である。領域Ａは、記録された情報を再生するためにトラッキングが必要となる情報記録領域である。
【０１６０】
領域Ｂは、ＢＣＡを記録するためのＢＣＡ記録領域であり、光情報記録媒体１の内周側に設けられている。
【０１６１】
図７に示すように、ＢＣＡは、バーコード状に形成されているものである。
【０１６２】
ＢＣＡは、第１情報記録層２０・第２情報記録層４０に情報を記録しているマーク３２・５２、スペース３３・５３（すなわちプリピット群３１・５１）と比べて、容易に検出可能な記録方式で、第２情報記録層４０に記録されている。
【０１６３】
ＢＣＡは、情報として、光情報記録媒体１のディスクタイプ（ＤＶＤやＢＤなど媒体の種別）を識別するための情報であるディスクタイプ識別情報と、光情報記録媒体１の個々を識別するための情報である個体識別情報とを含む。
【０１６４】
さらに、ディスクタイプ識別情報には第１情報記録層２０・第２情報記録層４０のそれぞれが、プリピット群３１・５１により記録されている情報を、再生光学系により再生可能とするように構成された層であることを示す情報も含まれている。すなわち、ディスクタイプ識別情報には、光情報記録媒体１が、多層超解像光情報記録媒体であることを示す情報も含まれている。
【０１６５】
ＢＣＡは、カバー層１０より最も遠い位置に設けられた情報記録層であるＬ０層（第２情報記録層４０）に形成されている。すなわち、光情報記録媒体１では、上記ディスクタイプ識別情報及び上記個体識別情報は、カバー層１０より最も遠い位置に設けられた情報記録層であるＬ０層に記録されている。
【０１６６】
このため、複数の情報記録層である第１情報記録層２０、第２情報記録層４０のうち、上記ディスクタイプ識別情報及び上記個体識別情報がどの層に記録されているかを、上記ディスクタイプ識別情報及び上記個体識別情報を再生する再生装置に、予め設定させておくことが可能となる。
【０１６７】
これにより、複数の情報記録層である第１情報記録層２０、第２情報記録層４０のうち、上記ディスクタイプ識別情報及び上記個体識別情報が記録されている第２情報記録層４０を、上記再生装置に特定させるための時間を短縮することができる。さらに、同一の再生装置で、さまざまなディスクタイプの光情報記録媒体の共有化が容易になる。
【０１６８】
なお、ＢＣＡは、光情報記録媒体１を製造する際、パルスレーザー光が、Ｌ０層である第２情報記録層４０に照射されることにより、１０μｍ単位の幅のストライプが第２情報記録層４０に形成される。これにより、ＢＣＡが第２情報記録層４０に形成される。ＢＣＡは、１０μｍ単位の幅で長さが１００μｍ単位から数百μｍ（ｍｍ単位）のストライプであるので、第１情報記録層２０及び第２情報記録層４０に形成されるプリピット群３１・５１（マーク３２・５２及びスペース３３・５３）などより大きい。
【０１６９】
このため、ＢＣＡを再生する再生装置のフォーカスが多少ずれたとしてもトラッキングを行わなくとも上記再生装置で読み取ることが可能である。このように、ＢＣＡは、マーク３２・５２及びスペース３３・５３として情報が記録されている記録方式と比べて、容易に検出可能な記録方式で、第２情報記録層４０に形成されている。
【０１７０】
さらに、専用のパルスレーザー光の照射装置を用いれば、比較的容易にディスクタイプ識別情報及び個体識別番号としてＢＣＡを、光情報記録媒体１に形成することが可能になる。
【０１７１】
また、上述したように、多層超解像光情報記録媒体である光情報記録媒体１の各第１情報記録層２０・第２情報記録層４０に形成されているマーク３２・５２は、最小マークと、最小スペースとの平均長さが、再生光学系の解像限界以下となるように、高密度に形成されている。第１情報記録層２０・第２情報記録層４０のように、記録密度が高い情報を再生するには、第１情報記録層２０・第２情報記録層４０より、記録密度が低い情報記録層が形成された光情報記録媒体（例えば、最小マークと、最小スペースとの平均長さが、再生光学系の解像限界より大きい非多層超解像光情報記録媒体）の情報を再生する場合と比べて再生レーザパワー（再生光の強度）を大きくする必要がある。
【０１７２】
このため、光情報記録媒体１の情報を再生するための再生レーザパワーで、上記非多層超解像光情報記録媒体を再生すると、上記非多層超解像光情報記録媒体を破壊してしまう虞がある。
【０１７３】
一方、ディスクタイプ識別情報を、ＢＣＡのように、マーク３２・５２及びスペース３３・５３として情報が記録されている記録方式と比べて、容易に検出可能な記録方式で、第２情報記録層４０に記録しておくことで、再生光学系に対して、マーク３２・５２及びスペース３３・５３として記録されている情報を再生するための再生レーザパワーを増大させる前に、ディスクタイプ識別情報の確認をさせることで、多層超解像光情報記録媒体であるか否かを判定させることができる。
【０１７４】
このため、誤って、マーク３２・５２及びスペース３３・５３による情報が設けられた第１情報記録層２０・第２情報記録層４０を再生するために増大された再生レーザパワーで、非多層超解像光情報記録媒体が再生されることを防止することできる。これにより、汎用性が高い光情報記録媒体１を提供することができる。
【０１７５】
また、図６に示すように、光情報記録媒体１において、領域Ｂは、領域Ａより内周に配置されている。つまり、ＢＣＡは、光情報記録媒体１の内周近傍に配置される。このように、ディスクタイプ識別情報や個体識別情報が記録される半径位置は、情報の再生にトラッキングが必要となる領域Ａより内周側にある。
【０１７６】
ここで、ＢＣＡにディスクタイプ識別情報や上記個体識別情報が含まれている場合、再生光学系により再生光が照射される半径方向の位置が多少ずれたとしても、ＢＣＡに含まれる上記ディスクタイプ識別情報や上記個体識別情報の情報を再生することができるようにするため、ＢＣＡを記録する領域として、半径方向へは所定の長さであり、周方向へは１周分の領域が必要となる。
【０１７７】
このような、ディスクタイプ識別情報や、上記個体識別情報を記録する領域を確保するために、他の情報を記憶するための情報記録領域（領域Ａ）の面積は減少することになる。
【０１７８】
このため、上記ディスクタイプ識別情報、及び上記個体識別情報が記録される領域Ｂの半径位置を領域Ａより内周側にすることで、外周側に設けた場合と比較して、領域Ａの記録容量の減少を抑制することができる。
【０１７９】
さらに、ＢＣＡを光情報記録媒体１の外周近傍に配置する場合と比較して、光情報記録媒体１に記録するＢＣＡの記録量を少なくすることができる。このため、ＢＣＡを光情報記録媒体１に記録するための時間を短縮することができる。
【０１８０】
（２．従来技術を組み合わせる場合の問題点）
次に、従来の多層再生専用情報記録媒体に、超解像技術を適応させる際の問題点について、以下説明する。まず、マークエッジ記録方式を採用した光情報記録媒体のプリピットの記録形式及び情報記録層の構成の違いによる再生特性の違いについて説明し、次に、マークエッジを採用しないモノトーン記録方式（＝マークポジション記録方式）を採用した光情報記録媒体の再生特性について説明する。
【０１８１】
（２−１．マークエッジ記録方式を採用した多層超解像光情報記録媒体）
（単層の情報記録層と、多層の情報記録層との再生信号の評価実験）
最初に、図８〜図１０を用いて、多層超解像光情報記録媒体の各情報記録層における再生特性は、各情報記録層を分離する中間層の膜厚等が適切であれば、同様にして作製した情報記録層が単層からなる光情報記録媒体の結果から想定が可能であることを示す。
【０１８２】
以下のように、共に、再生専用の情報記録層を備えている光情報記録媒体（多層超解像光情報記録媒体）１００と、光情報記録媒体２００との２種類のサンプルを作成し、それぞれを再生することによって得られる、それぞれの情報記録層からの再生信号を評価する実験を行った。
【０１８３】
光情報記録媒体１００と、光情報記録媒体２００とでは、光情報記録媒体１００が備えている情報記録層は２層であることに対し、光情報記録媒体２００が備えている情報記録層は１層である点で相違する。他の構成は同様である。
【０１８４】
図８は、本実施の形態に係る光情報記録媒体１００の構成を表す概略図である。
【０１８５】
図８に示すように、再生光の入射面側から順に、カバー層１０、第１情報記録層１２０、中間層３０、第２情報記録層１４０及び基板５０が積層された構成である光情報記録媒体１００を作成した。
【０１８６】
なお、光情報記録媒体１００を再生する再生装置が有する再生光学系の再生波長λは４０５ｎｍであり、Ｎ．Ａ．は０．８５である。
【０１８７】
カバー層１０には、厚さ７５μｍの紫外線硬化樹脂（再生光波長４０５ｎｍにおける屈折率１．５０）を用いた。
【０１８８】
第１情報記録層１２０は、２層の薄膜からなる超解像膜１２３と、下層の中間層３０に形成されたプリピット群３１とからなる。
【０１８９】
超解像膜１２３を構成する２層の薄膜として、再生光の入射側から順に、再生膜２１、反射膜２２、となるように積層した。再生膜２１として厚さ５５ｎｍの酸化亜鉛を用い、反射膜２２として厚さ６ｎｍのＴｉを用いた。なお、第１情報記録層１２０は、上述した第１情報記録層２０と対応するものである。
【０１９０】
中間層３０には、透明紫外線硬化樹脂（再生光波長における屈折率１．５０）を用いた。中間層３０は、第１情報記録層１２０と、第２情報記録層１４０との層間クロストークが生じないように、厚さ２５μｍとした。中間層３０の、第１情報記録層１２０側の面には、トラックピッチ０．３２μｍであって、インピット記録形式のプリピット群３１を設けた（図２参照）。すなわち、第１情報記録層１２０は、マークが光入射面に対して凹になるように形成されたプリピット群３１を含み、第１情報記録層１２０を再生する場合のプッシュプルの極性はネガティブとなる。
【０１９１】
プリピット群３１は、後述する基板５０と同じスタンパから圧縮成型された実質同一基板を元原盤とし、２Ｐ転写を２回繰り返すことにより（元原盤から２Ｐ転写を行い、出来た２Ｐ転写基板を原盤にさらに２Ｐ転写を行う意）、中間層３０に形成した。このようにプリピット群３１を、第１情報記録層１２０に形状として記録される情報に応じた凹部として形成した。
【０１９２】
第２情報記録層１４０は、２層の薄膜からなる超解像膜１４３と、下層の基板５０に形成されたプリピット群５１とからなる。
【０１９３】
超解像膜１２３を構成する２層の薄膜は、再生光の入射側から順に、再生膜４１、反射膜４２となるように積層した。再生膜４１として厚さ６５ｎｍの酸化亜鉛を用い、反射膜４２として厚さ７ｎｍのＴａを用いた。なお、第２情報記録層１４０は、上述した第２情報記録層４０と対応するものである。
【０１９４】
基板５０には、直径１２０ｍｍ、厚さ１．１ｍｍであるポリカーボネートの円盤状基板を使用した。また、基板５０の、第２情報記録層１４０側の面には、トラックピッチ０．３２μｍであって、インピット記録形式のプリピット群５１を設けた（図３参照）。
【０１９５】
プリピット群５１は、第２情報記録層１４０に形状として記録される情報に応じた凹凸からなるものである。第２情報記録層１４０には、マークが光入射面に対して凹になるようにプリピット群５１が形成されることで情報が記録されている。また、プリピット群５１を再生する場合のプッシュプルの極性はネガティブとなる。
【０１９６】
プリピット群３１・５１は、１−７ＲＬＬ変調方式に従って、変調されることで、記録されている情報が再生される。プリピット群３１・５１は、複数の長さを有するように、マーク３２・５２を形成した。このマーク３２・５２は、最小マークと最小スペースの平均長さが、再生光学系の解像限界（λ／（４Ｎ．Ａ．）＝１１９ｎｍ）以下の９３ｎｍになるように設けた。
【０１９７】
図９は、比較例の光情報記録媒体２００の構成を表す概略図である。
【０１９８】
光情報記録媒体２００は、図８の基板５０に積層した第１情報記録層１２０を単層ディスクに適合化させた比較用の単層光情報記録媒体である。
【０１９９】
図９に示すように、光情報記録媒体２００は、再生光の入射面側から順に、カバー層１０、情報記録層２２０、及び基板５０が積層された構造となっている。
【０２００】
情報記録層２２０は、図８の第１情報記録層１２０と同様に、２層の薄膜からなる超解像膜２２３と、プリピット群５１とからなる。すなわち、情報記録層２２０は、再生光の入射側から順に、再生膜２１、反射膜２２、プリピット群５１となるように積層した構造である。
【０２０１】
基板５０の情報記録層２２０側の面には、図８の光情報記録媒体１００と同様に、プリピット群５１を形成している。
【０２０２】
そして、光情報記録媒体１００の第１情報記録層１２０に記録されている情報と、光情報記録媒体２００の情報記録層２２０に記録されている情報との再生誤り率を示すビットエラーレート（以降ｂＥＲ）の再生パワー依存性（再生特性）を、それぞれ評価機を用いて測定した。
【０２０３】
評価機としては、一般的なＢＤ用評価機であるパルステック製ＤＤＵ−１０００（再生光学系：再生光波長（λ）４０５ｎｍ、開口数Ｎ．Ａ．＝０．８５）と、パルステック製ＢＤ評価用シグナルディティクターと、高密度信号処理として一般的な信号処理ＰＲＭＬ（１２２２１）とを用いた。
【０２０４】
ただし、パルステック製ＢＤ評価用シグナルディティクターは、高密度対応のため、ゲインのみ１０ｄＢ増加させる改造を行っている。
【０２０５】
図１０は、光情報記録媒体１００の第１情報記録層１２０に記録された情報と、光情報記録媒体２００の情報記録層２２０に記録された情報との評価結果を表す図である。
【０２０６】
図１０では、横軸に評価機の再生レーザパワー（すなわち、再生光の強度）（ｍＷ）を表し、縦軸にｂＥＲを表している。
【０２０７】
図１０に示すように、２層の情報記録層を有する光情報記録媒体１００の第１情報記録層１２０を再生した場合の再生特性と、単層の情報記録層を有する光情報記録媒体２００の情報記録層２２０を再生した場合の再生特性とを比較すると、両再生特性にはほとんど差が見られない。
【０２０８】
すなわち、第１情報記録層１２０を再生したときと、情報記録層２２０を再生したときとで、再生レーザパワーの強度の変化に対するｂＥＲの変化量は、ほぼ同じである。
【０２０９】
従って、図１０に示す評価結果は、層間クロストークが生じない適度に中間層３０を設けた場合は、超解像多層光情報記録媒体の各情報記録層の再生特性には、情報記録層を透過することに伴う光量損失以外は、影響が生じないことを示している。
【０２１０】
なお、図示しないが、光情報記録媒体１００の第２情報記録層１４０を再生した場合の再生特性と、光情報記録媒体２００の情報記録層２２０を再生した場合の再生特性とを比較しても、第１情報記録層１２０を透過することで生じる光損失から生じる再生感度の低下以外、両再生特性には、ほとんど差は見られなかった。
【０２１１】
従って、この実験結果から、超解像多層光情報記録媒体の各情報記録層の再生特性の優劣を判断するには、各情報記録層を単層化した光情報記録媒体の再生特性を測定すれば良いことになる。
【０２１２】
（プリピットの記録形式及び情報記録層の構成と、再生特性との関係について）
次に、プリピット記録方式別、及びプリピットの密度別の再生専用の多層光情報記録媒体における各情報記録層の再生優劣を確認するために、上記結論に従い、以下の実験用光ディスクである単層光情報記録媒体３００Ａ・３００Ｂ・４００Ａ・４００Ｂ・５００Ａ・５００ｂ・６００Ａ・６００Ｂを作製した。
【０２１３】
図１１（ａ）は、光情報記録媒体３００Ａの構成を表す概略図であり、（ｂ）は光情報記録媒体３００Ｂの構成を表す概略図である。
【０２１４】
図１２（ａ）は、光情報記録媒体４００Ａ・５００Ａ・６００Ａの構成を表す概略図であり、（ｂ）は光情報記録媒体４００Ｂ・５００Ｂ・６００Ｂの構成を表す概略図である。
【０２１５】
図１３（ａ）は、インピット形式のプリピット群の拡大した構成を表す斜視図であり、（ｂ）はオンピット形式のプリピット群の拡大した構成を表す斜視図である。
【０２１６】
図１１（ａ）に示すように、光情報記録媒体３００Ａは、再生光の入射面側から順に、カバー層３１０、情報記録層３２０Ａ、基板３５０Ａが積層された構造である。
【０２１７】
カバー層３１０は、厚さ１００μｍの紫外線硬化樹脂（再生光波長４０５ｎｍにおける屈折率１．５０）を用いた。
【０２１８】
情報記録層３２０Ａは、１つの薄膜からなる非超解像膜３２３と、下層の基板３５０Ａに形成されたプリピット群３５１Ａとからなる。非超解像膜３２３は、厚さ５ｎｍのＴｉを用いた。
【０２１９】
基板３５０Ａには、直径１２０ｍｍ、厚さ１．１ｍｍであるポリカーボネートの円盤状基板を使用した。
【０２２０】
図１３（ａ）に示すように、基板３５０Ａの非超解像膜３２３側の面に、情報記録層３２０Ａに形状として記録される情報に応じた凹凸からなるトラックピッチ（半径方向の長さ）０．３２μｍのプリピット群３５１Ａを設けた。
【０２２１】
プリピット群３５１Ａには、１−７ＲＬＬ変調方式に従って情報を再生することが可能となるように、周方向に異なる長さのマークを複数配した。
【０２２２】
プリピット群３５１Ａは、プリピット群３５１Ａにより構成されるマーク３５２Ａ及びスペース３５３Ａのうちの、最小マークと最小スペースの平均長さが、１４９ｎｍになるように設けた（φ１２０ｍｍディスク換算で２５ＧＢに相当する）。すなわち、プリピット群３５１Ａにより構成される最小マークと最小スペースとの平均長さは、再生光学系の解像限界（λ／（４Ｎ．Ａ．）＝１１９ｎｍ）より大きい。
【０２２３】
さらに、基板３５０Ａに設けられているプリピット群３５１Ａの記録形式は、インピット形式とした。すなわち、マーク３５２Ａが、光入射面に対してスペース３５３Ａより凹になるように、プリピット群３５１Ａを形成した。換言すると、プリピット群３５１Ａを、情報記録層３２０Ａを再生する場合のプッシュプル信号の極性がネガティブとなるように形成した。
【０２２４】
図１１（ｂ）に示すように、光情報記録媒体３００Ｂは、再生光の入射面側から順に、カバー層３１０、情報記録層３２０Ｂ、基板３５０Ｂが積層された構造である。
【０２２５】
情報記録層３２０Ｂは、非超解像膜３２３と、下層の基板３５０Ｂに形成されたプリピット群３５１Ｂとからなる。
【０２２６】
光情報記録媒体３００Ｂは、基板３５０Ｂ以外（すなわち、プリピット群３５１Ｂの記録形式以外）は光情報記録媒体３００Ａと同一の構成である。
【０２２７】
基板３５０Ｂには、基板３５０Ａと同様に、直径１２０ｍｍ、厚さ１．１ｍｍであるポリカーボネートの円盤状基板を使用した。
【０２２８】
図１３（ｂ）に示すように、基板３５０Ｂの非超解像膜３２３側の面には、情報記録層３２０Ａに形状として記録される情報に応じた凹凸からなるトラックピッチ０．３２μｍのプリピット群３５１Ｂを設けた。プリピット群３５１Ｂの記録形式は、オンピット形式とした。
【０２２９】
すなわち、マーク３５２Ｂが、光入射面に対してスペース３５３Ｂより凸になるように、プリピット群３５１Ｂを形成した。換言すると、プリピット群３５１Ｂを、情報記録層３２０Ｂを再生する場合のプッシュプルの極性がポジティブとなるようにした。
【０２３０】
このプリピット群３５１Ｂは、基板３５０Ａと同じスタンパから圧縮成型された実質同一の基板を原盤として、２Ｐ転写により設けた。これにより、基板３５０Ｂに、オンピット形式のプリピット群３５１Ｂを設けた。
【０２３１】
つまり、基板３５０Ａと３５０Ｂとは、写真で言うところの、いわゆるネガポジの関係にある。
【０２３２】
図１２（ａ）に示すように、光情報記録媒体４００Ａは、再生光の入射面側から順に、カバー層４１０、情報記録層４２０Ａ、基板４５０Ａが積層された構造である。
【０２３３】
カバー層４１０は、厚さ１００μｍの紫外線硬化樹脂（再生光波長４０５ｎｍにおける屈折率１．５０）を用いた。
【０２３４】
情報記録層４２０Ａは、再生光の入射側から順に再生膜４２１、反射膜４２２となるように積層された２層の薄膜からなる超解像膜４２３と、下層の基板４５０Ａに形成されたプリピット群４５１とからなる。
【０２３５】
再生膜４２１には、厚さ６０ｎｍの酸化亜鉛を用い、反射膜４２２には厚さ７ｎｍのＴaを用いた。
【０２３６】
基板４５０Ａには、直径１２０ｍｍ、厚さ１．１ｍｍであるポリカーボネートの円盤状基板を使用した。
【０２３７】
図１３（ａ）に示すように、基板４５０Ａの超解像膜４２３側の面には、情報記録層４２０Ａに形状として記録される情報に応じた凹凸からなるトラックピッチ０．３２μｍのプリピット群４５１Ａを設けた。
【０２３８】
プリピット群４５１Ａには、１−７ＲＬＬ変調方式に従って情報を再生することが可能となるように、周方向に異なる長さのマークを複数配した。
【０２３９】
プリピット群４５１Ａは、プリピット群４５１Ａにより構成されるマーク４５２Ａ及びスペース４５３Ａのうちの、最小マークと最小スペースの平均長さが、１４９ｎｍになるように設けた（φ１２０ｍｍディスク換算で２５ＧＢに相当する）。すなわち、プリピット群４５１Ａにより構成される最小マークと最小スペースとの平均長さは、再生光学系の解像限界（λ／（４Ｎ．Ａ．）＝１１９ｎｍ）より大きい。
【０２４０】
さらに、基板４５０Ａに設けられているプリピット群４５１Ａの記録形式は、インピット形式とした。すなわち、マーク４５２Ａが光入射面に対して凹になるようにプリピット群４５１Ａを形成し、情報記録層４２０Ａを再生する場合のプッシュプル信号の極性がネガティブとなるようにした。
【０２４１】
なお、基板４５０Ａは、基板３５０Ａと同じ原盤から成型された基板であり、実質、同一である。
【０２４２】
図１２（ｂ）に示すように、光情報記録媒体４００Ｂは、再生光の入射面側から順に、カバー層４１０、情報記録層４２０Ｂ、基板４５０Ｂが積層された構造である。光情報記録媒体４００Ｂは、基板４５０Ｂ以外（すなわち、プリピット群４５１Ｂの記録形式以外）は光情報記録媒体４００Ａと同一の構成である。
【０２４３】
情報記録層４２０Ｂは、再生光の入射側から順に再生膜４２１、反射膜４２２となるように積層された２層の薄膜からなる超解像膜４２３と、下層の基板４５０Ａに形成されたプリピット群４５１Ｂとからなる。
【０２４４】
基板４５０Ｂには、基板４５０Ａと同様に、直径１２０ｍｍ、厚さ１．１ｍｍであるポリカーボネートの円盤状基板を使用した。
【０２４５】
図１３（ｂ）に示すように、基板４５０Ｂの超解像膜４２３側の面には、情報記録層４２０に形状として記録される情報に応じた凹凸からなるトラックピッチ０．３２μｍのプリピット群４５１Ｂを設けた。プリピット群４５１Ｂの記録形式は、オンピット形式とした。
【０２４６】
すなわち、マーク４５２Ｂが、光入射面に対してスペース４５３Ｂより凸になるように、プリピット群４５１Ｂを形成した。換言すると、プリピット群４５１Ｂを、情報記録層４２０Ｂを再生する場合のプッシュプルの極性がポジティブとなるようにした。
【０２４７】
このプリピット群４５１Ｂは、基板４５０Ａと同じスタンパから圧縮成型された実質同一の基板を原盤として、２Ｐ転写により設けた。これにより、基板４５０Ｂに、オンピット形式のプリピット群４５１Ｂを設けた。
【０２４８】
つまり、基板４５０Ａと４５０Ｂとは、写真で言うところの、いわゆるネガポジの関係にある。
【０２４９】
図１２（ａ）に示すように、光情報記録媒体５００Ａは、再生光の入射面側から順に、カバー層５１０、情報記録層５２０Ａ、基板５５０Ａが積層された構造である。
【０２５０】
カバー層５１０は、厚さ１００μｍの紫外線硬化樹脂（再生光波長４０５ｎｍにおける屈折率１．５０）を用いた。
【０２５１】
情報記録層５２０Ａは、再生光の入射側から順に再生膜５２１、反射膜５２２となるように積層された２層の薄膜からなる超解像膜５２３と、下層の基板５５０Ａに形成されたプリピット群５５１Ａとからなる。再生膜５２１には、厚さ６０ｎｍの酸化亜鉛を用い、反射膜５２２には厚さ７ｎｍのＴaを用いた。
【０２５２】
基板５５０Ａには、直径１２０ｍｍ、厚さ１．１ｍｍであるポリカーボネートの円盤状基板を使用した。
【０２５３】
図１３（ａ）に示すように、基板５５０Ａの超解像膜５２３側の面には、情報記録層５２０Ａに形状として記録される情報に応じた凹凸からなるトラックピッチ０．３２μｍのプリピット群５５１Ａを設けた。
【０２５４】
プリピット群５５１Ａには、１−７ＲＬＬ変調方式に従って情報を再生することが可能となるように、周方向に異なる長さのマーク５５２Ａを複数配した。
【０２５５】
プリピット群５５１Ａは、プリピット群５５１Ａにより構成されるマーク５５２Ａ及びスペース５５３Ａのうちの、最小マークと最小スペースの平均長さが、１１３ｎｍになるように設けた（φ１２０ｍｍディスク換算で３３ＧＢに相当する）。すなわち、プリピット群５５１Ａにより構成される最小マークと最小スペースとの平均長さは、再生光学系の解像限界（λ／（４Ｎ．Ａ．）＝１１９ｎｍ）以下である。
【０２５６】
さらに、基板５５０Ａに設けられているプリピット群５５１Ａの記録形式は、インピット形式とした。すなわち、マーク５５２Ａが光入射面に対して凹になるようにプリピット群５５１Ａを形成し、情報記録層５２０Ａを再生する場合のプッシュプル信号の極性がネガティブとなるようにした。
【０２５７】
図１２（ｂ）に示すように、光情報記録媒体５００Ｂは、再生光の入射面側から順に、カバー層５１０、情報記録層５２０Ｂ、基板５５０Ｂが積層された構造である。光情報記録媒体５００Ｂは、基板５５０Ｂ以外（すなわち、プリピット群５５１Ｂの記録形式以外）は光情報記録媒体５００Ａと同一の構成である。
【０２５８】
情報記録層５２０Ｂは、再生光の入射側から順に再生膜５２１、反射膜５２２となるように積層された２層の薄膜からなる超解像膜５２３と、下層の基板５５０Ｂに形成されたプリピット群５５１Ｂとからなる。
【０２５９】
基板５５０Ｂには、基板５５０Ａと同様に、直径１２０ｍｍ、厚さ１．１ｍｍであるポリカーボネートの円盤状基板を使用した。
【０２６０】
図１３（ｂ）に示すように、基板５５０Ｂの超解像膜５２３側の面には、情報記録層５４０Ｂに形状として記録される情報に応じた凹凸からなるトラックピッチ０．３２μｍのプリピット群５５１Ｂを設けた。プリピット群５５１Ｂの記録形式は、オンピット形式とした。
【０２６１】
すなわち、マーク５５２Ｂが、光入射面に対してスペース５５３Ｂより凸になるように、プリピット群５５１Ｂを形成した。換言すると、プリピット群５５１Ｂを、情報記録層５２０Ｂを再生する場合のプッシュプルの極性がポジティブとなるようにした。
【０２６２】
このプリピット群５５１Ｂは、基板５５０Ａと同じスタンパから圧縮成型された実質同一の基板を原盤として、２Ｐ転写により設けた。これにより、基板５５０Ｂに、オンピット形式のプリピット群５５１Ｂを設けた。
【０２６３】
つまり、基板５５０Ａと５５０Ｂとは、写真で言うところの、いわゆるネガポジの関係にある。
【０２６４】
図１２（ａ）に示すように、光情報記録媒体６００Ａは、再生光の入射面側から順に、カバー層６１０、情報記録層６２０Ａ、基板６５０Ａが積層された構造である。
【０２６５】
カバー層６１０は、厚さ１００μｍの紫外線硬化樹脂（再生光波長４０５ｎｍにおける屈折率１．５０）を用いた。
【０２６６】
情報記録層６２０Ａは、再生光の入射側から順に再生膜６２１、反射膜６２２となるように積層された２層の薄膜からなる超解像膜６２３と、下層の基板６５０Ａに形成されたプリピット群６５１Ａとからなる。再生膜６２１には、厚さ６０ｎｍの酸化亜鉛を用い、反射膜６２２には厚さ７ｎｍのＴaを用いた。
【０２６７】
基板６５０Ａには、直径１２０ｍｍ、厚さ１．１ｍｍであるポリカーボネートの円盤状基板を使用した。
【０２６８】
図１３（ａ）に示すように、基板６５０Ａの超解像膜６２３側の面には、情報記録層６４０に形状として記録される情報に応じた凹凸からなるトラックピッチ０．３２μｍのプリピット群６５１Ａを設けた。
【０２６９】
プリピット群６５１Ａには、１−７ＲＬＬ変調方式に従って情報を再生することが可能となるように、周方向に異なる長さのマークを複数配した。
【０２７０】
プリピット群６５１Ａは、プリピット群６５１Ａにより構成されるマーク６５２Ａ及びスペース６５３Ａのうちの、最小マークと最小スペースの平均長さが、８３ｎｍになるように設けた（φ１２０ｍｍディスク換算で４５ＧＢに相当する）。すなわち、プリピット群６５１Ａにより構成される最小マークと最小スペースとの平均長さは、再生光学系の解像限界（λ／（４Ｎ．Ａ．）＝１１９ｎｍ）以下である。
【０２７１】
さらに、基板６５０Ａに設けられているプリピット群６５１Ａの記録形式は、インピット形式とした。すなわち、マーク６５２Ａが光入射面に対して凹になるようにプリピット群６５１Ａを形成し、情報記録層６２０Ａを再生する場合のプッシュプル信号の極性がネガティブとなるようにした。
【０２７２】
図１２（ｂ）に示すように、光情報記録媒体６００Ｂは、再生光の入射面側から順に、カバー層６１０、情報記録層６２０Ｂ、基板６５０Ｂが積層された構造である。光情報記録媒体６００Ｂは、基板６５０Ｂ以外（すなわち、プリピット群６５１Ｂの記録形式以外）は光情報記録媒体６００Ａと同一の構成である。
【０２７３】
情報記録層６２０Ｂは、再生光の入射側から順に再生膜６２１、反射膜６２２となるように積層された２層の薄膜からなる超解像膜６２３と、下層の基板６５０Ｂに形成されたプリピット群６５１Ｂとからなる。
【０２７４】
基板６５０Ｂには、基板６５０Ａと同様に、直径１２０ｍｍ、厚さ１．１ｍｍであるポリカーボネートの円盤状基板を使用した。
【０２７５】
図１３（ｂ）に示すように、基板６５０Ｂの超解像膜６２３側の面には、情報記録層６２０Ｂに形状として記録される情報に応じた凹凸からなるトラックピッチ０．３２μｍのプリピット群６５１Ｂを設けた。プリピット群６５１の記録形式は、オンピット形式とした。
【０２７６】
すなわち、マーク６５２Ｂが、光入射面に対してスペース６５３Ｂより凸になるように、プリピット群６５１Ｂを形成した。換言すると、プリピット群６５１Ｂを、情報記録層６２０Ｂを再生する場合のプッシュプルの極性がポジティブとなるようにした。
【０２７７】
このプリピット群６５１Ｂは、基板６５０Ａと同じスタンパから圧縮成型された実質同一の基板を原盤として、２Ｐ転写により設けた。これにより、基板６５０Ｂに、オンピット形式のプリピット群６５１Ｂを設けた。
【０２７８】
つまり、基板６５０Ａと６５０Ｂとは、写真で言うところの、いわゆるネガポジの関係にある。
【０２７９】
図１４は、各実験用光情報記録媒体の再生信号の測定結果を表す図である。
【０２８０】
図１４を用い、上記単層の光情報記録媒体３００Ａ〜６００Ｂを、上述の評価機等を用いて、ジッタ（Jitter；低密度における信号再生特性の一般的な評価指標）又はｂＥＲ（ビットエラーレート）の底値を測定し、各実験用光情報記録媒体の再生特性の優劣を確認した。
【０２８１】
図１４では、各実験用光情報記録媒体の測定結果（ジッタまたはｂＥＲ）と、測定時の信号波形表している。図１４の信号波形を示すオシロスコープの写真では、横軸は時間を表し、縦軸は電圧を表している。
【０２８２】
まず、再生光学系の解像限界（λ／（４Ｎ．Ａ．）＝１１９ｎｍ）以下（φ１２０ｍｍディスク換算で３３ＧＢに相当する）のマーク長のプリピット群が設けられた光情報記録媒体５００Ａ・５００Ｂ・６００Ａ・６００Ｂを比較する。
【０２８３】
上述したように光情報記録媒体５００Ａと、光情報記録媒体５００Ｂとの相違点は、プリピット群５５１Ａ・５５１Ｂの凹凸関係が逆であるのみである。同様に、光情報記録媒体６００Ａと、光情報記録媒体６００Ｂとの相違点は、プリピット群６５１Ａ・６５１Ｂの凹凸関係が逆であるのみである。
【０２８４】
しかし、図１４より明らかなように、光情報記録媒体５００Ａと、光情報記録媒体５００Ｂとの再生特性を比較すると、光情報記録媒体５００Ｂのジッタの底値は２７．５％であったことに対し、光情報記録媒体５００Ａのジッタの底値は１０．９％であり、光情報記録媒体５００Ｂのジッタの底値と比べて、光情報記録媒体５００Ａのジッタの底値の方が小さい。
【０２８５】
このように、光情報記録媒体５００Ｂと比べて、光情報記録媒体５００Ａの方が、再生特性が良いことが分かった。
【０２８６】
同様に、光情報記録媒体６００Ａと、光情報記録媒体６００Ｂとの再生特性を比較すると、光情報記録媒体６００ＡのｂＥＲの底値は３．６×１０−５と、一般に実用上必要とされる３．０×１０−４と比較しても十分に小さく良好であるのに対して、光情報記録媒体６００Ｂは、再生信号を復号するために最低限必要なクロックの生成すらできない結果になっている。
【０２８７】
このように、光情報記録媒体６００Ｂと比べて、光情報記録媒体６００Ａの方が、再生特性が良いことが分かった。
【０２８８】
このように、マークの密度等は同一であるプリピット群を有する基板を用いても、プリピット群の記録形式が、オンピット形式であるか、インピット形式であるかで再生特性は大きく異なり、オンピット形式と比べて、インピット形式の方が、再生特性が良いことがわかった。
【０２８９】
また、図１４から、マークの密度（情報の記録密度）が大きくなるほど、インピット形式での再生特性と、オンピット形式での再生特性の差が大きくなっていることが分かる。
【０２９０】
特に、光情報記録媒体６００Ｂに設けられたプリピット郡６５１Ｂのように、最小マーク（マーク６５２Ｂ）と最小スペース（スペース６５３Ｂ）の平均長さが、８３ｎｍ（＝λ／（５．７６ＮＡ（φ１２０ｍｍディスク換算で４５ＧＢ相当））になると、クロックの生成すら出来なくなることが分かる。
【０２９１】
つまり、プリピット群６５１の最小マークと最小スペースの平均長さが、８３ｎｍ（λ／（５．７６ＮＡ）になると、クロックが生成できないので、信号処理の高度化（例：ＰＲＭＬ（１２２１）からＰＲＭＬ（１２２２１）への変更等）によるｂＥＲ（再生特性と同意）の改善も図れないことになる。
【０２９２】
次に、図１４から、光情報記録媒体３００Ａ・４００Ａと、光情報記録媒体３００Ｂ・４００Ｂとの再生特性を比較すると、光情報記録媒体３００Ａ・４００Ａと、光情報記録媒体３００Ｂ・４００Ｂとの間で、ジッタの底値の値はほぼ同程度であり、再生特性に大きな差は生じていないことが分かった。
【０２９３】
すなわち、最小マークと最小スペースの平均長さが、再生光学系の解像限界（λ／（４Ｎ．Ａ．）＝１１９ｎｍ）より大きいプリピット群（プリピット群３５１Ａ・３５１Ｂ・４５１Ａ・４５１Ｂ）が設けられた光情報記録媒体３００Ａ・３００Ｂ・４００Ａ・４００Ｂ（例えばφ１２０ｍｍディスク換算で２５ＧＢに相当する）では、情報記録層が、超解像膜（情報記録層４２０Ａ・４２０Ｂ・５２０Ａ・５２０Ｂ・６２０Ａ・６２０Ｂ）であるか非超解像膜（情報記録層３２０Ａ・３２０Ｂ）であるかに関わらず、オンピット形式と、インピット形式との間で、再生特性に大きな差は生じないことが分かった。
【０２９４】
このことから、プリピット群の記録形式がインピット形式の方が、再生特性が良くなる理由は、情報記録層の種類（超解像膜であるか、非超解像膜であるか）に関わらず、あくまで記録密度（プリピット郡の最小マークと最小スペースの平均長さの意）に依存するためであることが分かった。
【０２９５】
これにより、再生光学系の解像限界（λ／（４Ｎ．Ａ．）＝１１９ｎｍ）以下（φ１２０ｍｍディスク換算で３３ＧＢに相当する）のマーク長のプリピット群が設けられた光情報記録媒体を再生するには、情報記録層が、超解像膜であるか、非超解像膜であるかに関わらず、プリピット群の記録形式をインピット形式とすることで、プリピット群の記録形式をオンピット形式とした場合と比べて、良好な再生特性が得られることが分かった。
【０２９６】
（２−２．モノトーン記録方式を採用した多層超解像光情報記録媒体との比較）
次に、モノトーン記録方式を採用した多層超解像光情報記録媒体との再生特性の比較結果について、図１５〜図１７を用いて説明する。
【０２９７】
図１５は、モノトーン形式のプリピットが形成された光情報記録媒体７００の構成を表す概略図である。
【０２９８】
図１６（ａ）は、モノトーンのオンピット形式のプリピット群の拡大した構成を表す斜視図であり、（ｂ）はモノトーンのインピット形式のプリピット群の拡大した構成を表す斜視図である。
【０２９９】
図１５に示すように、光情報記録媒体７００は、再生光の入射面側から順に、カバー層７１０、第１情報記録層７２０、中間層７３０、第２情報記録層７４０及び基板７５０が積層された構造である。
【０３００】
カバー層７１０は、２層からなり、再生光入射側から、膜厚８０μｍのポリカーボネートフィルム７１１と、膜厚２０μｍの透明粘着樹脂層とを順に積層した構造である。
【０３０１】
第１情報記録層７２０は、再生光の入射側から順に再生膜７２１、反射膜７２２となるように積層された２層の薄膜からなる超解像膜７２３と、下層の中間層７３０に形成されたプリピット群７３１とからなる。
【０３０２】
再生膜７２１には、厚さ１７５ｎｍの酸化亜鉛を用い、半透明膜７２２には厚さ７ｎｍのＳｉを用いた。
【０３０３】
中間層７３０には、厚さ２５μｍの透明紫外線硬化樹脂（再生光波長における屈折率１．５０）を用いた。
【０３０４】
図１６（ａ）に示すように、中間層７３０の超解像膜７２３側の面には、第１情報記録層７２０に形状として記録される情報に応じたオンピット記録形式のプリピット群７３１を、トラックピッチ０．３２μｍで設けた。
【０３０５】
プリピット群７３１は、後述する基板７５０と同じスタンパから圧縮成型された実質同一基板を原盤とした２Ｐ転写により設けた。このようにして、中間層７３０に、モノトーン形式のオンピット形式でプリピット群７３１を設けた。プリピット群７３１は、８つの領域に分かれている。
【０３０６】
図１６（ａ）の例では、半径方向に８つの領域に分かれており、各領域のマーク７３２の長さ（マーク長）スペース７３３の長さ（スペース長）の平均長さは、半径方向に、順に、６０、８０，１００，１２０，１４０，１６０，２００，４００ｎｍである。
【０３０７】
このように、プリピット群７３１は、８種類の長さ（密度に相当）のモノトーン形式プリピット群であり、各領域の再生特性が確認出来るようにした。
【０３０８】
図１５に示すように、第２情報記録層７４０は、２層の薄膜からなる超解像膜７４３と、下層の基板７５０に形成されたプリピット群７５１とからなる。超解像膜７４３は、再生光入射側から、厚さ１５５ｎｍの酸化亜鉛からなる再生膜７４１と、厚さ５０ｎｍのＳｉからなる反射膜７４２とが順に積層されている。
【０３０９】
基板７５０には、プリピット群７５１を有するポリオレフィン系樹脂製の円盤状基板を使用した。
【０３１０】
図１６（ｂ）に示すように、基板７５０の超解像膜７４３側の面には、第２情報記録層７４０に形状として記録される情報に応じたインピット記録形式のプリピット群７５１を、トラックピッチ０．３２μｍで設けた。プリピット群７５１は、８つの領域に分かれている。
【０３１１】
図１６（ｂ）の例では、半径方向に８つの領域に分かれており、各領域のマーク７５２の長さ（マーク長）スペース７５３の長さ（スペース長）の平均長さは、半径方向に、順に、６０、８０，１００，１２０，１４０，１６０，２００，４００ｎｍである。
【０３１２】
このように、プリピット群７５１は、８種類の長さ（密度に相当）のモノトーン形式プリピット群であり、各領域の再生特性が確認出来るようにした。
【０３１３】
上記光情報記録媒体７００の第１情報記録層７２０と、第２情報記録層７４０とを、再生光波長４０４ｎｍ、開口数０．８５の再生光学系を有する評価機にて再生し、ＯＴＦを測定した。
【０３１４】
図１７は、モノトーンプリピット群を有する光情報記録媒体７００の第１情報記録層７２０及び第２情報記録層７４０の再生特性（ＯＴＦ）を表す図である。
【０３１５】
なお、ＯＴＦは、超解像性能を表す指標であり、Ｃ／Ｎ（信号品質を表す評価基準）の記録マーク長(再生専用光情報記録媒体の場合はピット長と同意)依存性を表す。
【０３１６】
図１７より明らかなように、第１情報記録層７２０と、第２情報記録層７４０との再生特性には有意差が見られない。
【０３１７】
すなわち、図１７に示す結果から、光情報記録媒体７００のように、モノトーン記録方式を採用した多層超解像光情報記録媒体においては、プリピットの記録形式（インピット、又はオンピットの意）によって、再生特性に差が生じないことが分かる。
【０３１８】
上述より明らかなように、一般的な多層光情報記録媒体は、記録容量向上のためマークエッジ記録方式が用いられている。さらに、コストダウンのために、再生光入射面に近い側の第１情報記録層と遠い側の第２情報記録層とに情報を記録するために設けられたのプリピット郡の記録形式は、インピット形式とオンピット形式とで異なっている。
【０３１９】
このため、上記多層光情報記録媒体に超解像技術を採用すると、オンピット形式で情報が記録された情報記録層の再生特性は、もう一方の、インピット形式で情報が記録された情報記録層の再生特性と比較して、著しく劣ることになる。
【０３２０】
一方、上述したように、実施の形態に係る光情報記録媒体１では、最小マークと最小スペースの平均長さが、再生光学系の解像限界（λ／（４Ｎ．Ａ．）＝１１９ｎｍ）より小さいプリピット群５１の記録形式がインピット形式である。かつ、プリピット群５１により記録された情報の再生を可能とする超解像膜である第２情報記録層４０が、プリピット群５１が設けられた基板５０に設けられている。
【０３２１】
このため、第２情報記録層４０と、第１情報記録層２０との間で、再生した信号特性に差が生じず、信頼性の高い良好な高密度信号再生が可能になる。また、安価であり、かつ大記録容量の超解像再生技術を用いた多層光情報記録媒体を実現できる。
【０３２２】
また、プリピット群５１における最小マーク５２と、最小スペース５３との平均長さが、λ/（５．７６ＮＡ）以下の場合に、本実施の形態における光情報記録媒体１は、特に好ましい。
【０３２３】
なぜならば、上述したように、プリピット群３１・５１の最小マークと、最小スペースとの平均長さが、再生光学系の解像限界長に比べて短いほど、インピット形式とオンピット形式との再生特性の差が顕著になる。特に、最小マークと、最小スペースとの平均長さが、λ/（５．７６ＮＡ）以下の場合には、再生特性を補完する信号処理を行うために必須であるクロックの生成が不可となるためである。
【０３２４】
なお、クロックが生成できれば、再生された信号によって、補完度合いが異なる信号処理法（例：ＰＲＭＬ（１２２１）とより補完性の高いＰＲＭＬ（１２２２１）を併用する等）を用いることは可能である。しかしこのような方法を用いる場合、光情報記録媒体再生装置の構造が複雑になり、コストアップしてしまうという問題は残る。
【０３２５】
一方、光情報記録媒体１の構成によると、クロックが生成できなくなることを防止することができる。このため、再生された信号を、単一の信号処理法により補完することができるので、光情報記録媒体再生装置の構造が複雑になることを防止することができ、コストアップの抑制効果を得ることができる。
【０３２６】
なお、光情報記録媒体１は、上述したような、プリピット群３１と、プリピット群５１との両方をインピット形式にすることに限定されず、プリピット群３１と、プリピット群５１とのうち、何れか一方をインピット形式にした構成であってもよい。
【０３２７】
さらに、２層の第１情報記録層２０又は、第２情報記録層４０のうち、１つは、再生専用のＲＯＭ層ではなく、情報の書き換えが可能な層（ＲＥ層）であってもよい。
【０３２８】
さらに、本発明の実施の形態に係る光情報記録媒体は上記に限るものではなく、様々なタイプの情報記録層が更に設けられた３層以上の情報記録媒体であっても良く、その場合はカバー層や中間層の厚みが上記と異なっても良い。
【０３２９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０３３０】
本発明は、特に、複数の情報記録層を備え、情報の記録密度が高い再生専用の光情報記録媒体に適用することができる。
【符号の説明】
【０３３１】
１・１ａ・１００      光情報記録媒体
１０                  カバー層（透光層）
２０・１２０          第１情報記録層
２３・４３            超解像膜
３０                  中間層
３１・５１・５１ａ    プリピット群
３２・５２            マーク
３３・５３            スペース
４０・４０ａ・１４０  第２情報記録層
５０・５０ａ          基板
【図１】
2011258297.tif 000003
【図２】
2011258297.tif 000004
【図３】
2011258297.tif 000005
【図４】
2011258297.tif 000006
【図５】
2011258297.tif 000007
【図６】
2011258297.tif 000008
【図７】
2011258297.tif 000009
【図８】
2011258297.tif 000010
【図９】
2011258297.tif 000011
【図１０】
2011258297.tif 000012
【図１１】
2011258297.tif 000013
【図１２】
2011258297.tif 000014
【図１３】
2011258297.tif 000015
【図１５】
2011258297.tif 000016
【図１６】
2011258297.tif 000017
【図１７】
2011258297.tif 000018
【図１８】
2011258297.tif 000019
【図１９】
2011258297.tif 000020
【図２０】
2011258297.tif 000021
【図１４】
2011258297.tif 000022
【手続補正書】
【提出日】平成23年9月20日(2011.9.20)
【手続補正１】
【補正対象書類名】特許請求の範囲
【補正対象項目名】全文
【補正方法】変更
【補正の内容】
【特許請求の範囲】
【請求項１】
再生光の入射側から順に、当該再生光の入射面を有する透光層と、２層以上の情報記録層と、基板とが配され、さらに、上記情報記録層をそれぞれに分離する中間層と、を備えた光情報記録媒体であって、
上記２層以上の情報記録層には、所定の変調方式で、マーク及びスペースとして情報が記録されており、
上記２層以上の情報記録層のそれぞれは、
上記マーク及びスペースを構成するプリピット群と、超解像膜とを備え、
上記プリピット群により構成されるマーク及びスペースは異なる長さを有し、
上記プリピット群により構成されるマークのうち、長さが最小となる最小マークと、上記プリピット群により構成されるスペースのうち、長さが最小となる最小スペースとの平
均長さは、上記情報記録層に記録された情報を再生するための再生光学系の解像限界以下であり、
上記超解像膜は、上記プリピット群により記録された情報を上記再生光学系により再生可能とする膜であり、
上記プリピット群は、上記再生光の入射面に対して、上記スペースより、上記マークが凹んで形成されるインピット形式であることを特徴とする光情報記録媒体。
【請求項２】
上記再生光学系の再生光の波長をλ、開口数をＮＡとすると、
上記プリピット群における最小マークと、最小スペースとの平均長さが、λ/（５．７
６ＮＡ）以下であることを特徴とする請求項１に記載の光情報記録媒体。
【請求項３】
上記２層以上の情報記録層のそれぞれは、上記プリピット群により記録されている情報を上記再生光学系により再生可能とするように構成された層であることを示す情報が、上記光情報記録媒体の種別を示すディスクタイプ識別情報に含まれており、
上記ディスクタイプ識別情報は、
上記マーク及びスペースとして記録されている情報と比べて、容易に検出可能な記録方式で、上記２層以上の情報記録層のうち何れか１層の情報記録層に記録されていることを特徴とする請求項１又は２に記載の光情報記録媒体。
【請求項４】
上記容易に検出可能な記録方式は、パルスレーザー光を上記情報記録層に照射して形成されたものであり、１０μｍ単位の幅で、長さが１００μｍ単位からｍｍ単位の複数のストライプにより示される情報の記録方式であることを特徴とする請求項３に記載の光情報記録媒体。
【請求項５】
上記ディスクタイプ識別情報、及び上記光情報記録媒体の個々を識別する情報である個体識別番号が記録される半径位置は、情報の再生にトラッキングが必要となる情報記録領域より内周側にあることを特徴とする請求項３又は４に記載の光情報記録媒体。